(57)【要約】【課題】安全に、蓄電池を切断して内容物を取り出すことができ、安全性において非常に優れた蓄電池の切断装置および蓄電池の切断方法を提供する。【解決手段】蓄電池を所定位置に固定するための蓄電池固定機構と、少なくとも刃先が非導電性材料からなり、回転する回転刃を備えた切断機本体と、切断機本体に備えられ、回転刃の切断位置を所定の位置に調整する切断位置調整機構とを備え、蓄電池固定機構にて所定位置に固定された蓄電池を、切断位置調整機構にて所定の切断位置に調整された回転刃によって、絶縁切断位置にて切断する。【選択図】図５
2010198865.tif 000002
【特許請求の範囲】
【請求項１】
封入容器内に封入された蓄電池の電極体を取り出すための蓄電池の切断装置であって、
蓄電池を所定位置に固定するための蓄電池固定機構と、
切断刃を備えた切断機本体と、
前記切断機本体に備えられ、切断刃の切断位置を所定の位置に調整する切断位置調整機構とを備え、
前記蓄電池固定機構にて所定位置に固定された蓄電池を、切断位置調整機構にて所定の切断位置に調整された切断刃によって、絶縁切断位置にて切断するように構成したことを特徴とする蓄電池の切断装置。
【請求項２】
前記絶縁切断位置が、蓄電池の上方絶縁切断位置と下方絶縁切断位置の２箇所の絶縁切断位置であることを特徴とする請求項１に記載の蓄電池の切断装置。
【請求項３】
前記絶縁切断位置が、蓄電池のセパレーターの外端部から、負電極の外端部の間に位置することを特徴とする請求項１から２のいずれかに記載の蓄電池の切断装置。
【請求項４】
前記封入容器の底部を押圧治具を用いて下方から押圧して変形させて、封入容器内で電極体を上方に押し上げた状態で、蓄電池を上方絶縁切断位置、下方絶縁切断位置の少なくとも一方の絶縁切断位置にて切断するように構成されていることを特徴とする請求項１から３のいずれかに記載の蓄電池の切断装置。
【請求項５】
前記上方絶縁切断位置にて、蓄電池を切断した後、封入容器の底部を押圧治具を用いて下方から押圧して変形させて、封入容器内で電極体を上方に押し上げた状態で、蓄電池を下方絶縁切断位置にて切断するように構成されていることを特徴とする請求項４に記載の蓄電池の切断装置。
【請求項６】
前記封入容器の底部を押圧治具を用いて下方から押圧して変形させて、封入容器内で電極体を上方に押し上げた後、蓄電池を絶縁切断位置にて切断するように構成されていることを特徴とする請求項４に記載の蓄電池の切断装置。
【請求項７】
前記回転刃が、メタルソーから構成されていることを特徴とする請求項４から６のいずれかに記載の蓄電池の切断装置。
【請求項８】
前記回転刃が、少なくとも刃先が非導電性材料から構成されていることを特徴とする請求項１から７のいずれかに記載の蓄電池の切断装置。
【請求項９】
前記蓄電池固定機構が、蓄電池位置決め治具を用いて、蓄電池の外周の所定位置に予め固定された固定部材の端部が当接して、蓄電池を所定の位置に固定する載置台座部が設けられていることを特徴とする請求項１から８のいずれかに記載の蓄電池の切断装置。
【請求項１０】
前記蓄電池位置決め治具を用いて、蓄電池の外周の所定位置に予め固定された固定部材の位置が、蓄電池の上方絶縁切断位置から固定部材の上方の端部までの距離と、蓄電池の下方絶縁切断位置から固定部材の下方の端部までの距離が等しくなるように固定され、
前記蓄電池固定機構の載置台座部に、蓄電池を反転載置することによって、蓄電池の上方絶縁切断位置と下方絶縁切断位置の２箇所の絶縁切断位置で切断できるように構成されていることを特徴とする請求項９に記載の蓄電池の切断装置。
【請求項１１】
前記蓄電池固定機構が、円柱形状の蓄電池をその軸を中心に回転させる回転機構を備えていることを特徴とする請求項１から１０のいずれかに記載の蓄電池の切断装置。
【請求項１２】
前記回転刃の回転方向と、蓄電池の回転方向が相互に反対方向に回転するように構成されていることを特徴とする請求項１１に記載の蓄電池の切断装置。
【請求項１３】
前記蓄前記切断機本体には、回転刃に付着した切粉を除去するブラシ部材が付設されていることを特徴とする請求項１から１２のいずれかに記載の蓄電池の切断装置。
【請求項１４】
前記蓄電池固定機構が、四角柱形状の蓄電池を、短手方向と長手方向の２方向から支持して所定位置に固定するチャック部材を備えることを特徴とする請求項１から１０のいずれかに記載の蓄電池の切断装置。
【請求項１５】
前記チャック部材が、蓄電池の固定位置を、所定の位置に調整する固定位置調整機構を備えることを特徴とする請求項１４に記載の蓄電池の切断装置。
【請求項１６】
前記切断機本体が、蓄電池固定機構にて所定位置に固定された蓄電池に対して、平行な方向に往復移動自在に構成されていることを特徴とする請求項１から１５のいずれかに記載の蓄電池の切断装置。
【請求項１７】
前記蓄電池の切断装置が、不活性ガス雰囲気の作業室内に配置されていることを特徴とする請求項１から１６のいずれかに記載の蓄電池の切断装置。
【請求項１８】
封入容器内に封入された蓄電池の電極体を取り出すための蓄電池の切断方法であって、
蓄電池固定機構によって蓄電池を所定位置に固定し、
切断機本体の切断位置調整機構によって、切断刃の切断位置を、所定の位置になるように調整し、
前記蓄電池固定機構にて所定位置に固定された蓄電池を、切断位置調整機構にて所定の切断位置に調整された切断刃によって、絶縁切断位置にて切断することを特徴とする蓄電池の切断方法。
【請求項１９】
前記絶縁切断位置が、蓄電池の上方絶縁切断位置と下方絶縁切断位置の２箇所の絶縁切断位置であることを特徴とする請求項１８に記載の蓄電池の切断方法。
【請求項２０】
前記絶縁切断位置が、蓄電池のセパレーターの外端部から、負電極の外端部の間に位置することを特徴とする請求項１８から１９のいずれかに記載の蓄電池の切断方法。
【請求項２１】
前記封入容器の底部を押圧治具を用いて下方から押圧して変形させて、封入容器内で電極体を上方に押し上げた状態で、蓄電池を上方絶縁切断位置、下方絶縁切断位置の少なくとも一方の絶縁切断位置にて切断することを特徴とする請求項１８から２０のいずれかに記載の蓄電池の切断方法。
【請求項２２】
前記上方絶縁切断位置にて、蓄電池を切断した後、封入容器の底部を押圧治具を用いて下方から押圧して変形させて、封入容器内で電極体を上方に押し上げた状態で、蓄電池を下方絶縁切断位置にて切断することを特徴とする請求項２１に記載の蓄電池の切断方法。
【請求項２３】
前記封入容器の底部を押圧治具を用いて下方から押圧して変形させて、封入容器内で電極体を上方に押し上げた後、蓄電池を絶縁切断位置にて切断することを特徴とする請求項２２に記載の蓄電池の切断方法。
【請求項２４】
前記回転刃が、メタルソーから構成されていることを特徴とする請求項２１から２３のいずれかに記載の蓄電池の切断方法。
【請求項２５】
前記回転刃が、少なくとも刃先が非導電性材料から構成されていることを特徴とする請求項１８から２４のいずれかに記載の蓄電池の切断方法。
【請求項２６】
前記蓄電池固定機構において、蓄電池位置決め治具を用いて、蓄電池の外周の所定位置に予め固定された固定部材の端部を、載置台座部に当接させて、蓄電池を所定の位置に固定することを特徴とする請求項１８から２５のいずれかに記載の蓄電池の切断方法。
【請求項２７】
前記蓄電池位置決め治具を用いて、蓄電池の外周の所定位置に予め固定された固定部材の位置が、蓄電池の上方絶縁切断位置から固定部材の上方の端部までの距離と、蓄電池の下方絶縁切断位置から固定部材の下方の端部までの距離が等しくなるように固定して、
前記蓄電池固定機構の載置台座部に、蓄電池を反転載置することによって、蓄電池の上方絶縁切断位置と下方絶縁切断位置の２箇所の絶縁切断位置で切断することを特徴とする請求項２６に記載の蓄電池の切断方法。
【請求項２８】
前記蓄電池固定機構において、回転機構によって円柱形状の蓄電池をその軸を中心に回転させることを特徴とする請求項１８から２７のいずれかに記載の蓄電池の切断方法。
【請求項２９】
前記回転刃の回転方向と、蓄電池の回転方向が相互に反対方向になるように回転させることを特徴とする請求項２８に記載の蓄電池の切断方法。
【請求項３０】
前前記切断機本体において、ブラシ部材を、回転刃に当接させ、切粉を回転刃より除去することを特徴とする請求項１８から２４のいずれかに記載の蓄電池の切断方法。
【請求項３１】
前記蓄電池固定機構において、チャック部材によって、四角柱形状の蓄電池を、短手方向と長手方向の２方向から支持して所定位置に固定することを特徴とする請求項１９から２７のいずれかに記載の蓄電池の切断方法。
【請求項３２】
前記チャック部材の固定位置調整機構によって、蓄電池の固定位置を、所定の位置に調整することを特徴とする請求項３１に記載の蓄電池の切断方法。
【請求項３３】
前記切断機本体を、蓄電池固定機構にて所定位置に固定された蓄電池に対して、平行な方向に往復移動させることを特徴とする請求項１８から３２のいずれかに記載の蓄電池の切断方法。
【請求項３４】
前記蓄電池の切断を、不活性ガス雰囲気の作業室内に配置して切断を行うことを特徴とする請求項１８から３３のいずれかに記載の蓄電池の切断装置。
【請求項３５】
蓄電池の切断に用いる蓄電池位置決め治具であって、
前記蓄電池の外周に装着した固定部材の下端に当接する固定台座部材と、
前記固定台座部材の開口部を貫通して垂下する蓄電池の下端に当接して、蓄電池の下端の位置を調整する位置調整部材と、
前記位置調整部材により、蓄電池の下端の位置と固定部材の下端位置を、所定の位置にして、係止部材によって、蓄電池の外周の所定位置に固定部材を固定するように構成したことを特徴とする蓄電池位置決め治具。
【発明の詳細な説明】
【技術分野】
【０００１】
本発明は、封入容器内に封入された、例えば、パソコン、携帯電話、デジタルカメラなどの電子機器に用いられる、マンガン電池、アルカリ電池、リチウム電池等の一次電池や、鉛蓄電池、ニッケル・カドミウム電池、ニッケル・水素電池、リチウムイオン電池などの二次電池、二重層キャパシター、コンデンサーなどにおいて、安全性試験などの所定の検査などを行うために、封入容器内の内容物である電極体を封入容器から取り出すための蓄電池の切断装置および蓄電池の切断方法に関する。
【背景技術】
【０００２】
従来より、ノート型パソコンや携帯電話、ＰＤＡ(Personal Digital Assistance)など
の電子機器の電源として、繰り返し充放電可能な蓄電池が用いられている。
【０００３】
このような蓄電池には、例えば、ニッケル水素二次電池等の水系電池、リチウムイオン二次電池等の非水系電池、電気二重層キャパシター等のキャパシター、コンデンサーなどがある。
【０００４】
その構造としては、図６９に示した部分切断分解斜視図に示したように、例えば、リチウムイオン二次電池（蓄電池）１００では、正電極１０２として、アルミニウム箔の両面にコバルト酸リチウムなどを溶剤で溶いて、塗布後、乾燥、プレスして作製している。また、負電極１０４として、銅箔の両面に、グラファイトなどの炭素材料を溶媒で溶いて、塗布後、乾燥、プレスして作製している。
【０００５】
そして、これらの正電極１０２と負電極１０４との間に、例えば、ポリエチレン、ポリプロピレンなどのポリオレフィン樹脂などの合成樹脂からなり、イオンが移動できる多孔質の絶縁フィルムからなるセパレーター１０６を介装して、積層している。
【０００６】
さらに、リチウムイオン二次蓄電池１００が、図示したように、円筒形の場合には、積層体が、バームクーヘンの様に円筒状に巻かれて電極体１０３を構成している。
【０００７】
そして、この電極体１０３を、例えば、ニッケルメッキされた鉄製の円筒形状の容器本体１０８内に、負電極１０４の負極リード１１０を缶底に電気的に接触させ、電解液を注入している。その後、蓋部材１１２を正電極１０２の正極リード１１４に電気的に接続した後、かしめることによって封止して封入容器１０１を構成している。なお、リチウムイオン二次蓄電池１００が角型の場合には、電極体は、扁平形状に巻かれる。
【０００８】
また、図６９中、符号１１６、１１８は、絶縁部材、１２０は、例えば、ダイヤフラムなどの圧力安全弁、１２２は、パッキン、１２４は、ＰＴＣ素子、１２６は、電流遮断機構、１２８は、正電極端子である。
【０００９】
このようなリチウムイオン二次蓄電池１００では、容器本体１０８が負極であり、１２８の部分が正極を構成することになる。
【００１０】
近年、このような繰り返し充放電可能な蓄電池において、小型軽量化及び大容量化への要求が高まっている。
【００１１】
ところで、従来、蓄電池の安全性の基準としては、例えば、米国の民間の規格であるＵＬ規格などがあり、発火、安全性が規格化されている。
【００１２】
この発火などの原因は、正電極１０２と負電極１０４とが、製造工程などの際に残留した金属粉などが、セパレーター１０６を突き破って内部ショートを起こしたり、過充電などが原因で発生するものである。
【００１３】
内部ショートが発生すると、短時間に電池内のほぼ全エネルギーを放出することになり、激しく発火したり、爆発するケースもある。
【００１４】
従って、このような蓄電池におけるその研究開発において、充放電の試験の際に蓄電池内の電極の変化を観察する目的、蓄電池の安全性を確認する目的などために、蓄電池の分解、各種の試験が行う必要がある。
【００１５】
一方、蓄電池の安全性を確認するための試験方法として、釘で外部から刺して孔を開けて検査する方法、機械的に外部から押し潰して試験を行う方法などがある。
【００１６】
しかし、上記釘刺し試験では、満充電状態の電池に鉄製の釘を貫通させて内部ショートを発生させ、電池温度や電圧の変化を観察するものであるが、釘の太さやスピード、場所などにより、試験結果にバラツキが生じる。
【００１７】
また、押し潰し試験では、一度の複数点がショートしていたり、ショートの発生箇所によっては、試験にバラツキが生じるなど、安全性を評価できないという問題があった。
【００１８】
また、特許文献１（特開２００８−２７００９０号公報）では、満充電の電池から、正極、負極、セパレーターを捲廻もしくは積層した電極群を容器本体から取り出し、この取り出された電極群をショートさせて、安全性を評価する方法が提案されているが、電極群を容器本体から取り出すには、容器本体を切断する必要がある。
【００１９】
しかしながら、容器本体を切断する際に、正極、負極間でショートを起こし、発火、爆発の危険性がある。
【００２０】
また、特許文献１では、露点が−２５℃以下のドライ環境で蓄電池を分解して、例えば、正電極と負電極との間に、例えば、Ｌ字形状の金属片を、正電極と負電極との間に配置して、予備加熱恒温槽で加圧子で圧縮して評価試験を行う方法が提案されている。
【００２１】
さらに、特許文献２（特許２７２１４６７号公報）では、蓄電池の安全な開口方法として、アルゴンガスなどの不活性ガス環境下で行うことが開示されている。
【００２２】
また、特許文献３（特開２００５−２９４１５１号公報）、特許文献４（特開２００８−１９２４９７号公報）には、蓄電池をカシメ部分で切断する方法が開示されている。
【先行技術文献】
【特許文献】
【００２３】
【特許文献１】特開２００８−２７００９０号公報
【特許文献２】特許第２７２１４６７号公報
【特許文献３】特開２００５−２９４１５１号公報
【特許文献４】特開２００８−１９２４９７号公報
【発明の概要】
【発明が解決しようとする課題】
【００２４】
また、特許文献１のような方法では、非水系の電池は当然必要とされる露点が−２５℃
以下のドライ環境で満充電された電池を解体し、電極体を抜き取ると、書かれているのみで、開口方法が何ら提案されていない。
【００２５】
さらに、特許文献２では、蓄電池の安全な開口方法として、アルゴンガスなどの不活性ガス環境下で行うことが開示されているが、開口方法が何ら提案されておらず、開口切断方法によっては、例えば、切断刃が、正電極と負電極とを短絡させてしまい、不活性ガス下においても発火などが起こるおそれがある。
【００２６】
また、特許文献３では、蓄電池をカシメ部分で切断することのみ開示されており、いかに安全に切断するかなどは全く考慮されておらず、この場合にも、切断方法によっては、例えば、切断刃が、正電極と負電極とを短絡させてしまい、発火などが起こるおそれがある。
【００２７】
いずれにしても、従来の方法では、蓄電池の満充電状態では、発火などが起こるおそれがあり、蓄電池の満充電状態の評価試験などを行うことは困難であった。
【００２８】
本発明は、このような現状に鑑み、従来のように、大掛かりな装置、設備が不要で、しかも、安全に、蓄電池を切断して内容物である電極体を取り出すことができ、安全性において非常に優れ、例えば、従来困難であった、満充電時の蓄電池の性能テストなどを実施することができる、封入容器内の電極体を封入容器から取り出すための蓄電池の切断装置および蓄電池の切断方法を提供することを目的とする。
【課題を解決するための手段】
【００２９】
本発明は、前述したような従来技術における課題及び目的を達成するために発明されたものであって、本発明の蓄電池の切断装置は、
封入容器内に封入された蓄電池の電極体を取り出すための蓄電池の切断装置であって、
蓄電池を所定位置に固定するための蓄電池固定機構と、
切断刃を備えた切断機本体と、
前記切断機本体に備えられ、切断刃の切断位置を所定の位置に調整する切断位置調整機構とを備え、
前記蓄電池固定機構にて所定位置に固定された蓄電池を、切断位置調整機構にて所定の切断位置に調整された回転刃によって、絶縁切断位置にて切断するように構成したことを特徴とする。
【００３０】
また、本発明の蓄電池の切断方法は、
封入容器内に封入された蓄電池の電極体を取り出すための蓄電池の切断方法であって、
蓄電池固定機構によって蓄電池を所定位置に固定し、
切断機本体の切断位置調整機構によって、切断刃の切断位置を、所定の位置になるように調整し、
前記蓄電池固定機構にて所定位置に固定された蓄電池を、切断位置調整機構にて所定の切断位置に調整された切断刃によって、絶縁切断位置にて切断することを特徴とする。
【００３１】
このように構成することによって、蓄電池固定機構によって蓄電池を所定位置に固定して、切断機本体の切断位置調整機構によって、回転刃の切断位置を、所定の位置になるように調整する。
【００３２】
そして、蓄電池固定機構にて所定位置に固定された蓄電池を、切断位置調整機構にて所定の切断位置に調整された切断刃によって、絶縁切断位置にて正確に切断することができる。
【００３３】
このため、常に正確な切断位置に蓄電池と切断刃が位置することになるので、絶縁フィルムからなるセパレーター１０６の位置で正確に切断することができ、切断の際に正電極１０２と負電極１０４とが短絡し、発火などの事故が発生することがなく、安全性において非常に優れている。
【００３４】
このように絶縁切断位置にて切断した後、切断部分を取り除き、上部または下端に開口した部分から、蓄電池の電極体を簡単に引き抜き、取り出すことができ、例えば、従来困難であった、満充電時の蓄電池の性能テストなどを実施することができる。
【００３５】
なお、この場合、切断刃としては、いわゆるフライス加工と呼ばれる切断刃が回転刃からなり回転し、ワークである蓄電池１００が固定した構成するのが望ましいが、いわゆる旋盤加工（切断刃が回転せず固定で、ワークが回転）で、切断することも可能である。
【００３６】
また、例えば、切断刃としては、回転刃以外に、バイトなどは、突っ切りバイトや溝入れバイトを使用することも可能である。
【００３７】
また、本発明では、前記絶縁切断位置が、蓄電池の上方絶縁切断位置と下方絶縁切断位置の２箇所の絶縁切断位置であることを特徴とする。
【００３８】
このように絶縁切断位置が、蓄電池の上方絶縁切断位置と下方絶縁切断位置の２箇所の絶縁切断位置であれば、絶縁切断位置にて切断した後、切断部分を取り除き、上部または下端に開口した部分から、蓄電池の電極体を簡単に引き抜き、取り出すことができる。
【００３９】
また、本発明では、前記絶縁切断位置が、蓄電池のセパレーターの外端部から、負電極の外端部の間に位置することを特徴とする。
【００４０】
このように絶縁切断位置が、蓄電池１００のセパレーター１０６の外端部から、負電極１０４の外端部の間に位置していれば、絶縁フィルムからなるセパレーター１０６の位置で正確に切断することができ、負電極１０４と、負電極１０４の内側に位置する正電極１０２とを同時に切断して短絡して発火などの事故が発生することがなく、安全性において非常に優れている。
【００４１】
また、本発明の蓄電池の切断装置は、前記封入容器の底部を押圧治具を用いて下方から押圧して変形させて、封入容器内で電極体を上方に押し上げた状態で、蓄電池を上方絶縁切断位置、下方絶縁切断位置の少なくとも一方の絶縁切断位置にて切断するように構成されていることを特徴とする。
【００４２】
また、本発明の蓄電池の切断方法は、前記封入容器の底部を押圧治具を用いて下方から押圧して変形させて、封入容器内で電極体を上方に押し上げた状態で、蓄電池を上方絶縁切断位置、下方絶縁切断位置の少なくとも一方の絶縁切断位置にて切断することを特徴とする。
【００４３】
このように封入容器の底部を押圧治具を用いて下方から押圧して変形させて、封入容器内で電極体を上方に押し上げた状態では、封入容器の底部から、蓄電池１００のセパレーター１０６の外端部まで切断スペースが確保されることになる。
【００４４】
従って、下方絶縁切断位置の設定の幅が大きくとれるとともに、下方絶縁切断位置において負電極１０４と正電極１０２が確実に存在しない状態であるので、負電極１０４と、負電極１０４の内側に位置する正電極１０２とを同時に切断して短絡して発火などの事故が発生することがなく、安全性において非常に優れている。
【００４５】
しかも、下方絶縁切断位置において負電極１０４と正電極１０２が確実に存在しない状態であるので、回転刃として、市販品であり、安価で、種類が豊富である（厚さが０．１ｍｍまである）メタルソーが使える、交換が容易であり、しかも、機能的にも、寿命、切れ味（バリ）、切削抵抗（切削温度）において優れている。
【００４６】
また、本発明の蓄電池の切断装置は、前記上方絶縁切断位置にて、蓄電池を切断した後、封入容器の底部を押圧治具を用いて下方から押圧して変形させて、封入容器内で電極体を上方に押し上げた状態で、蓄電池を下方絶縁切断位置にて切断するように構成されていることを特徴とする。
【００４７】
また、本発明の蓄電池の切断方法は、前記上方絶縁切断位置にて、蓄電池を切断した後、封入容器の底部を押圧治具を用いて下方から押圧して変形させて、封入容器内で電極体を上方に押し上げた状態で、蓄電池を下方絶縁切断位置にて切断することを特徴とする。
【００４８】
このように上方絶縁切断位置にて、蓄電池を切断した後、封入容器の底部を押圧治具を用いて下方から押圧して変形させれば、封入容器の上部が開口した状態であるので、変形させた際に、封入容器内で電極体を上方に容易にかつ正確に押し上げることができる。
【００４９】
従って、封入容器の底部から、蓄電池１００のセパレーター１０６の外端部まで切断スペースが確実に確保されることになる。
【００５０】
従って、下方絶縁切断位置の設定の幅が大きくとれるとともに、下方絶縁切断位置において負電極１０４と正電極１０２が確実に存在しない状態であるので、負電極１０４と、負電極１０４の内側に位置する正電極１０２とを同時に切断して短絡して発火などの事故が発生することがなく、安全性において非常に優れている。
【００５１】
また、本発明の蓄電池の切断装置は、前記封入容器の底部を押圧治具を用いて下方から押圧して変形させて、封入容器内で電極体を上方に押し上げた後、蓄電池を絶縁切断位置にて切断するように構成されていることを特徴とする。
【００５２】
また、本発明の蓄電池の切断方法は、前記封入容器の底部を押圧治具を用いて下方から押圧して変形させて、封入容器内で電極体を上方に押し上げた後、蓄電池を絶縁切断位置にて切断することを特徴とする。
【００５３】
先に上方絶縁切断位置にて、蓄電池を切断した場合には、封入容器の上部が開口した状態であるので、封入容器の底部を押圧変形するための押圧治具は、切断機本体と同様に、不活性雰囲気などに設置する必要がある。
【００５４】
これに対して、蓄電池を絶縁切断位置にて切断する前に、先に押圧治具で封入容器の底部を押圧して変形させれば、蓄電池位置決め治具と同様に、押圧治具による封入容器の底部の押圧、変形を、大気中で行うことが可能となる。
【００５５】
従って、作業性の向上が図ることができ、しかも、不活性ガス雰囲気の作業室である、小型のグローブボックスやドライチャンバーには、スペースが限られており、収納する装置の大きさには、制約があるため、収納する治具点数が少ない方が良いと言え、この点からも非常に優れている。
【００５６】
また、本発明では、前記回転刃が、メタルソーから構成されていることを特徴とする。
【００５７】
すなわち、封入容器の底部を押圧治具を用いて下方から押圧して変形させて、封入容器内で電極体を上方に押し上げた状態で、蓄電池を絶縁切断位置にて切断する場合には、下方絶縁切断位置において負電極１０４と正電極１０２が確実に存在しない状態であるので、回転刃として、市販品であり、安価で、種類が豊富である（厚さが０．１ｍｍまである）メタルソーが使える、交換が容易であり、しかも、機能的にも、寿命、切れ味（バリ）、切削抵抗（切削温度）において優れている。
【００５８】
また、本発明では、前記回転刃が、少なくとも刃先が非導電性材料から構成されていることを特徴とする。
【００５９】
このように構成することによって、回転刃が、少なくとも刃先が非導電性材料から構成されているので、正電極１０２と負電極１０４とを万一同時に切断してしまっても、正電極１０２と負電極１０４とが短絡して発火などの事故が発生することがなく、安全性において非常に優れている。
【００６０】
この場合、非導電性材料としては、アルミナ、ジルコニアといったセラミクスが挙げられる。これをメタルソーのような刃物形状に加工して、切断刃として使うことができる。また、金属パイプの切断に使われるような、砥材としてアルミナ質（ＷＡ）や炭化ケイ素（ＧＣ）を使用したレジノイド切断砥石を切断刃として使うことができる。
【００６１】
また、本発明の蓄電池の切断装置は、前記蓄電池固定機構が、蓄電池位置決め治具を用いて、蓄電池の外周の所定位置に予め固定された固定部材の端部が当接して、蓄電池を所定の位置に固定する載置台座部が設けられていることを特徴とする。
【００６２】
また、本発明の蓄電池の切断方法は、前記蓄電池固定機構において、蓄電池位置決め治具を用いて、蓄電池の外周の所定位置に予め固定された固定部材の端部を、載置台座部に当接させて、蓄電池を所定の位置に固定することを特徴とする。
【００６３】
このように構成することによって、蓄電池位置決め治具を用いて、蓄電池の外周の所定位置に予め固定された固定部材の端部を、載置台座部に当接させて、蓄電池を所定の位置に固定するので、蓄電池固定機構において蓄電池を所定位置に正確に固定することができる。
【００６４】
従って、このように正確な所定位置に固定された蓄電池を、切断位置調整機構にて所定の切断位置に調整された回転刃によって、絶縁切断位置にて正確に切断することができる。
【００６５】
このため、常に正確な切断位置に蓄電池と回転刃が位置することになるので、絶縁フィルムからなるセパレーター１０６の位置で正確に切断することができ、正電極１０２と負電極１０４とを同時に切断して短絡して発火などの事故が発生することがなく、安全性において非常に優れている。
【００６６】
また、本発明の蓄電池の切断装置は、
前記蓄電池位置決め治具を用いて、蓄電池の外周の所定位置に予め固定された固定部材の位置が、蓄電池の上方絶縁切断位置から固定部材の上方の端部までの距離と、蓄電池の下方絶縁切断位置から固定部材の下方の端部までの距離が等しくなるように固定され、
前記蓄電池固定機構の載置台座部に、蓄電池を反転載置することによって、蓄電池の上方絶縁切断位置と下方絶縁切断位置の２箇所の絶縁切断位置で切断できるように構成されていることを特徴とする。
【００６７】
また、本発明の蓄電池の切断方法は、
前記蓄電池位置決め治具を用いて、蓄電池の外周の所定位置に予め固定された固定部材の位置が、蓄電池の上方絶縁切断位置から固定部材の上方の端部までの距離と、蓄電池の下方絶縁切断位置から固定部材の下方の端部までの距離が等しくなるように固定して、
前記蓄電池固定機構の載置台座部に、蓄電池を反転載置することによって、蓄電池の上方絶縁切断位置と下方絶縁切断位置の２箇所の絶縁切断位置で切断することを特徴とする。
【００６８】
このように構成することによって、蓄電池位置決め治具を用いて、固定部材の位置が、蓄電池の上方絶縁切断位置から固定部材の上方の端部までの距離と、蓄電池の下方絶縁切断位置から固定部材の下方の端部までの距離が等しくなるように、蓄電池の外周の所定位置に予め固定部材を固定する。
【００６９】
そして、蓄電池固定機構の載置台座部に、蓄電池を反転載置することによって、蓄電池の上方絶縁切断位置と下方絶縁切断位置の２箇所の絶縁切断位置で簡単でしかも正確な位置で切断することができる。
【００７０】
しかも、このように絶縁切断位置が、蓄電池の上方絶縁切断位置と下方絶縁切断位置の２箇所の絶縁切断位置であれば、絶縁切断位置にて切断した後、切断部分を取り除き、上部または下端に開口した部分から、蓄電池の電極体を簡単に引き抜き、取り出すことができる。
【００７１】
また、本発明の蓄電池の切断装置は、前記蓄電池固定機構が、円柱形状の蓄電池をその軸を中心に回転させる回転機構を備えていることを特徴とする。
【００７２】
また、本発明の蓄電池の切断方法は、前記蓄電池固定機構において、回転機構によって円柱形状の蓄電池をその軸を中心に回転させることを特徴とする。
【００７３】
このように蓄電池固定機構において、回転機構によって円柱形状の蓄電池をその軸を中心に回転させることによって、円柱形状の蓄電池であっても、その全周にわたって絶縁切断位置にて切断することができ、切断部分を取り除くことができ、上部または下端に開口した部分から、蓄電池の電極体を簡単に引き抜き、取り出すことができ、例えば、従来困難であった、満充電時の蓄電池の性能テストなどを実施することができる。
【００７４】
また、本発明の蓄電池の切断装置は、前記回転刃の回転方向と、蓄電池の回転方向が相互に反対方向に回転するように構成されていることを特徴とする。
【００７５】
また、本発明の蓄電池の切断方法は、前記回転刃の回転方向と、蓄電池の回転方向が相互に反対方向になるように回転させることを特徴とする。
【００７６】
このように回転刃の回転方向と、蓄電池の回転方向が相互に反対方向になるように回転させることによって、効率良くかつスムーズに絶縁切断位置にて切断することができる。
【００７７】
また、本発明の蓄電池の切断装置は、前記切断機本体には、回転刃に付着した切粉を除去するブラシ部材が付設されていることを特徴とする。
【００７８】
また、本発明の蓄電池の切断方法は、前記切断機本体において、ブラシ部材を、回転刃に当接させ、切粉を回転刃より除去することを特徴とする。
【００７９】
このように切断機本体において、ブラシ部材を、回転刃に当接させ、切粉を回転刃より
除去するので、切粉が蓄電池の封入容器内に侵入して、正電極１０２と負電極１０４とを短絡して発火などの事故が発生することがなく、安全性において非常に優れている。
【００８０】
また、ブラシ部材に非水系の油をつけ、刃物の磨耗や冷却を行うことができる。
【００８１】
また、本発明の蓄電池の切断装置は、前記蓄電池固定機構が、四角柱形状の蓄電池を、短手方向と長手方向の２方向から支持して所定位置に固定するチャック部材を備えることを特徴とする。
【００８２】
また、本発明の蓄電池の切断方法は、前記蓄電池固定機構において、チャック部材によって、四角柱形状の蓄電池を、短手方向と長手方向の２方向から支持して所定位置に固定することを特徴とする。
【００８３】
このように蓄電池固定機構において、チャック部材によって、四角柱形状の蓄電池を、短手方向と長手方向の２方向から支持して所定位置に固定するので、四角柱形状の蓄電池を確実に固定でき、ずれることなく、正確に絶縁切断位置にて切断することができる。
【００８４】
また、本発明の蓄電池の切断装置は、前記チャック部材が、蓄電池の固定位置を、所定の位置に調整する固定位置調整機構を備えることを特徴とする。
【００８５】
また、本発明の蓄電池の切断方法は、前記チャック部材の固定位置調整機構によって、蓄電池の固定位置を、所定の位置に調整することを特徴とする。
【００８６】
このようにチャック部材の固定位置調整機構によって、蓄電池の固定位置を、所定の位置に調整するので、四角柱形状の蓄電池を確実にかつ正確な位置に固定でき、正確に絶縁切断位置にて切断することができる。
【００８７】
また、本発明の蓄電池の切断装置は、前記切断機本体が、蓄電池固定機構にて所定位置に固定された蓄電池に対して、平行な方向に往復移動自在に構成されていることを特徴とする。
【００８８】
また、本発明の蓄電池の切断方法は、前記切断機本体を、蓄電池固定機構にて所定位置に固定された蓄電池に対して、平行な方向に往復移動させることを特徴とする。
【００８９】
このように切断機本体を、蓄電池固定機構にて所定位置に固定された蓄電池に対して、平行な方向に往復移動させるので、蓄電池固定機構にて所定位置に固定された蓄電池の切断が終了した後に、切断機本体を切断位置から退避位置まで移動することができる。従って、例えば、蓄電池を上下反転して、切断位置を変更したり、切断の終了した蓄電池を蓄電池固定機構から取り外して、次の切断する蓄電池との交換作業を容易に行うことができる。
【００９０】
また、本発明の蓄電池の切断装置は、前記蓄電池の切断装置が、不活性ガス雰囲気の作業室内に配置されていることを特徴とする。
【００９１】
また、本発明の蓄電池の切断方法は、前記蓄電池の切断を、不活性ガス雰囲気の作業室内に配置して切断を行うことを特徴とする。
【００９２】
このように蓄電池の切断を、例えば、アルゴンガス、窒素ガスなどの不活性ガス雰囲気の作業室内に配置して切断を行うので、蓄電池の封入容器内の電解液などが反応して発火などの事故が発生するのが防止することができる。
【００９３】
また、本発明の蓄電池位置決め治具は、
蓄電池の切断に用いる蓄電池位置決め治具であって、
前記蓄電池の外周に装着した固定部材の下端に当接する固定台座部材と、
前記固定台座部材の開口部を貫通して垂下する蓄電池の下端に当接して、蓄電池の下端の位置を調整する位置調整部材と、
前記位置調整部材により、蓄電池の下端の位置と固定部材の下端位置を、所定の位置にして、係止部材によって、蓄電池の外周の所定位置に固定部材を固定するように構成したことを特徴とする。
【００９４】
このように構成することによって、蓄電池の外周に装着した固定部材の下端を、固定台座部材に当接させた状態で、固定台座部材の開口部を貫通して垂下する蓄電池の下端に、位置調整部材を当接させて、蓄電池の下端の位置を調整する。
【００９５】
そして、この位置調整部材により、蓄電池の下端の位置と固定部材の下端位置を、所定の位置にして、係止部材によって、蓄電池の外周の所定位置に正確に固定部材を固定することができる。
【００９６】
これにより、本発明の蓄電池の切断装置および蓄電池の切断方法において、蓄電池固定機構にて所定位置に固定された蓄電池を、切断位置調整機構にて所定の切断位置に調整された回転刃によって、絶縁切断位置にて正確に切断することができる。
【発明の効果】
【００９７】
本発明によれば、蓄電池固定機構によって蓄電池を所定位置に固定して、切断機本体の切断位置調整機構によって、切断刃の切断位置を、所定の位置になるように調整する。
【００９８】
そして、蓄電池固定機構にて所定位置に固定された蓄電池を、切断位置調整機構にて所定の切断位置に調整された切断刃によって、絶縁切断位置にて正確に切断することができる。
【００９９】
このため、常に正確な切断位置に蓄電池と切断刃が位置することになるので、絶縁フィルムからなるセパレーター１０６の位置で正確に切断することができ、正電極１０２と負電極１０４とを同時に切断して短絡して発火などの事故が発生することがなく、安全性において非常に優れている。
【０１００】
このように絶縁切断位置にて切断した後、切断部分を取り除き、上部または下端に開口した部分から、蓄電池の電極体を簡単に引き抜き、取り出すことができ、例えば、従来困難であった、満充電時の蓄電池の性能テストなどを実施することができる。
【０１０１】
また、本発明によれば、封入容器の底部を押圧治具を用いて下方から押圧して変形させて、封入容器内で電極体を上方に押し上げた状態では、封入容器の底部から、蓄電池１００のセパレーター１０６の外端部まで切断スペースが確保されることになる。
【０１０２】
従って、下方絶縁切断位置の設定の幅が大きくとれるとともに、下方絶縁切断位置において負電極１０４と正電極１０２が確実に存在しない状態であるので、負電極１０４と、負電極１０４の内側に位置する正電極１０２とを同時に切断して短絡して発火などの事故が発生することがなく、安全性において非常に優れている。
【０１０３】
しかも、下方絶縁切断位置において負電極１０４と正電極１０２が確実に存在しない状態であるので、回転刃として、市販品であり、安価で、種類が豊富である（厚さが０．１
ｍｍまである）メタルソーが使える、交換が容易であり、しかも、機能的にも、寿命、切れ味（バリ）、切削抵抗（切削温度）において優れている。
【図面の簡単な説明】
【０１０４】
【図１】図１は、本発明の蓄電池の切断装置の正面図である。
【図２】図２は、図１の蓄電池の切断装置のＡ方向矢視図である。
【図３】図３は、図１の蓄電池の切断装置の切断機本体と蓄電池固定機構の部分の拡大正面図である。
【図４】図４は、図３のＢ方向矢視図である。
【図５】図５は、図１の蓄電池の切断装置の切断機本体と蓄電池固定機構の部分の拡大斜視図である。
【図６】図６は、図５の蓄電池固定機構のＣ方向矢視図である。
【図７】図７は、図６の蓄電池固定機構の上面図である。
【図８】図８は、本発明の蓄電池の切断装置で用いる蓄電池位置決め治具の正面図である。
【図９】図９は、図８の蓄電池位置決め治具のＤ方向矢視図である。
【図１０】図１０は、本発明の蓄電池の切断装置の作動の概略を説明する概略図である。
【図１１】図１１は、回転刃４２の断面図である。
【図１２】図１２は、本発明の蓄電池の切断装置の別の実施例の図５と同様な切断機本体と蓄電池固定機構の部分の拡大斜視図である。
【図１３】図１３は、図１２の蓄電池固定機構の斜視図である。
【図１４】図１４は、図１３の蓄電池固定機構の上面図である。
【図１５】図１５は、図１２の蓄電池の切断装置で用いる蓄電池位置決め治具の正面図である。
【図１６】図１６は、図１５の蓄電池位置決め治具のＧ方向矢視図である。
【図１７】図１７は、押圧治具を用いた本発明の蓄電池の切断方法の押圧前の状態を説明する正面図である。
【図１８】図１８は、図１７の側面図である。
【図１９】図１９は、図１７のＨ−Ｈ線での断面図である。
【図２０】図２０は、図１９のＩ部分の拡大図である。
【図２１】図２１は、図１９のＪ部分の拡大図である。
【図２２】図２２は、押圧治具を用いた本発明の蓄電池の切断方法の押圧状態を説明する正面図である。
【図２３】図２３は、図２２の側面図である。
【図２４】図２４は、図２３のＨ−Ｈ線での断面図である。
【図２５】図２５は、図２４のＩ部分の拡大図である。
【図２６】図２６は、図２５のＪ部分の拡大図である。
【図２７】図２７は、押圧治具を用いた本発明の蓄電池の切断方法の押圧前の状態を説明する斜視図である。
【図２８】図２８は、図２７のＫ−Ｋ線での断面図である。
【図２９】図２９は、円筒形状の蓄電池の部分切欠斜視図である。
【図３０】図３０は、図２９のＬ−Ｌ線での断面図である。
【図３１】図３１は、図３０のＭ部分の拡大図である。
【図３２】図３２は、実施例１の上部切断の方法の概略を示す斜視図である。
【図３３】図３３は、実施例１の上部切断の方法の概略を示す正面図である。
【図３４】図３４は、図３３のＮ−Ｎ線での断面図である。
【図３５】図３５は、実施例１の下部切断の方法の概略を示す斜視図である。
【図３６】図３６は、実施例１の下部切断の方法の概略を示す正面図である。
【図３７】図３７は、図３６のＯ−Ｏ線での断面図である。
【図３８】図３８は、実施例１の電極体１０３の引き抜き、取り出しの概略を示す斜視図である。
【図３９】図３９は、実施例１の電極体１０３の引き抜き、取り出しの概略を示す斜視図である。
【図４０】図４０は、四角柱形状の蓄電池の部分斜視図である。
【図４１】図４１は、図４０のＰ−Ｐ線での断面図である。
【図４２】図４２は、図４１のＱ部分の拡大図である。
【図４３】図４３は、実施例２の上部切断の方法の概略を示す斜視図である。
【図４４】図４４は、実施例２の上部切断の方法の概略を示す正面図である。
【図４５】図４５は、図４３のＲ−Ｒ線での断面図である。
【図４６】図４６は、実施例２の下部切断の方法の概略を示す斜視図である。
【図４７】図４７は、実施例２の下部切断の方法の概略を示す正面図である。
【図４８】図４８は、図４３のＳ−Ｓ線での断面図である。
【図４９】図４９は、実施例３の下部切断の方法の概略を示す斜視図である。
【図５０】図５０は、実施例３の下部切断の方法の概略を示す斜視図である。
【図５１】図５１は、図４９のＴ−Ｔ線での断面図である。
【図５２】図５２は、電極体１０３の押し上げを説明する正面図である。
【図５３】図５３は、図５２の上面図である。
【図５４】図５４は、図５２の下面図である。
【図５５】図５５は、図５３のＵ−Ｕ線での断面図である。
【図５６】図５６は、実施例４の下部切断の方法の概略を示す斜視図である。
【図５７】図５７は、実施例４の下部切断の方法の概略を示す斜視図である。
【図５８】図５８は、図５６のＶ−Ｖ線での断面図である。
【図５９】図５９は、押圧治具を用いた本発明の蓄電池の切断方法の押圧前の状態を説明する正面図である。
【図６０】図６０は、図５９の側面図である。
【図６１】図６１は、図５９のＨ−Ｈ線での断面図である。
【図６２】図６２は、図６１のＩ部分の拡大図である。
【図６３】図６３は、図６１のＪ部分の拡大図である。
【図６４】図６４は、押圧治具を用いた本発明の蓄電池の切断方法の押圧状態を説明する正面図である。
【図６５】図６５は、図６４の側面図である。
【図６６】図６６は、図６５のＨ−Ｈ線での断面図である。
【図６７】図６７は、図６６のＩ部分の拡大図である。
【図６８】図６８は、図６７のＪ部分の拡大図である。
【図６９】図６９は、リチウムイオン二次電池（蓄電池）の部分切断分解斜視図である。
【図７０】図７０は、本発明の絶縁切断位置を説明するための蓄電池の内部の概略図である。
【発明を実施するための形態】
【０１０５】
以下、本発明の実施の形態（実施例）を図面に基づいてより詳細に説明する。
【０１０６】
図１は、本発明の蓄電池の切断装置の正面図、図２は、図１の蓄電池の切断装置のＡ方向矢視図、図３は、図１の蓄電池の切断装置の切断機本体と蓄電池固定機構の部分の拡大正面図、図４は、図３のＢ方向矢視図、図５は、図１の蓄電池の切断装置の切断機本体と蓄電池固定機構の部分の拡大斜視図、図６は、図５の蓄電池固定機構のＣ方向矢視図、図７は、図６の蓄電池固定機構の上面図、図８は、本発明の蓄電池の切断装置で用いる蓄電池位置決め治具の正面図、図９は、図８の蓄電池位置決め治具のＤ方向矢視図、図１０は、本発明の蓄電池の切断装置の作動の概略を説明する概略図、図１１は、回転刃４２の断
面図である。
【０１０７】
図１〜図２において、符号１０は、全体で本発明の蓄電池の切断装置を示している。
【０１０８】
図１〜図２に示したように、本発明の蓄電池の切断装置１０は、作業室１２を備えており、この作業室１２内には、切断作業の際に、例えば、アルゴンガス、窒素ガスなどの不活性ガス雰囲気となるように不活性ガスが供給されるようになっている。なお、不活性ガスの種類としては、特に限定されるものではなく、公知の不活性ガスを使用することができる。
【０１０９】
この作業室１２の前方には、矢印方向に開閉自在な作業用扉１４が設けられており、装置のメンテナンス、すなわち、後述するように、切断すべき蓄電池１００の交換、回転刃４２の取り換え、蓄電池固定機構１８の交換、各種部品の保守、交換などの作業ができるように構成されている。
【０１１０】
また、作業室１２の前壁１６には、図示しないが、作業室１２内で、各種作業が行えるように操作手袋などが装着された操作用開口部が形成され、両手で、不活性ガスが漏洩しない状態で上記の各種作業が行えるように構成されている。
【０１１１】
なお、作業室１２は、切断作業の確認などができるように、透明な材料から構成されており、また、作業用扉１４などの開閉部分には、不活性ガスが外部に漏洩しないようにシール部材によってシールされている。
【０１１２】
また、本発明の蓄電池の切断装置１０には、図３〜図５に示したように、作業室１２内に、蓄電池１００を所定位置に固定するための蓄電池固定機構１８と、切断機本体２０とを備えている。
【０１１３】
蓄電池固定機構１８は、図５〜図７に示したように、作業室１２の床部１２ａに固定された、断面逆Ｕ字形状のフレーム２２を備えており、このフレーム２２に、モータ２４が付設されている。
【０１１４】
また、フレーム２２の上部には、このモータ２４の回転軸に連結され、所定の回転速度で回転する載置台座部２６が設けられており、この載置台座部２６の段部２６ａに、後述するように、蓄電池位置決め治具５０を用いて、蓄電池１００の外周の所定位置に予め固定された固定部材５２の端部５２ａ、５２ｂが当接するように構成されている。
【０１１５】
さらに、この載置台座部２６には、４つに分断されたチャック部材２８が設けられている。このチャック部材２８には、締め付けリング３０が設けられており、この締め付けリング３０を締め付けることによって、蓄電池１００を装着した状態で、固定部材５２を締め付け、これにより蓄電池１００を固定することができるようになっている。
【０１１６】
一方、切断機本体２０は、図３〜図５に示したように、作業室１２の床部１２ａに固定されたＬＭガイドなどのガイド部材３２上を、図３、図５の矢印に示した方向に、すなわち、蓄電池固定機構１８にて所定位置に固定された蓄電池１００に対して、平行な方向に往復移動自在に構成されている。
【０１１７】
すなわち、切断機本体２０は、電動スライダー３４の駆動によって、ガイド部材３２上を移動可能なフレーム部材３１を備えており、このフレーム部材３１の上側方に突設するように切断装置３６が設けられている。
【０１１８】
この切断装置３６には、駆動用モータ３８を備えており、駆動用モータ３８の回転軸に連結された回転刃支持部材４０が設けられ、この回転刃支持部材４０に脱着自在に切断刃として回転刃４２が装着されている。
【０１１９】
さらに、切断機本体２０には、下記のような構成を有する、回転刃４２の切断位置を所定の位置に調整する切断位置調整機構１１を備えている。
【０１２０】
すなわち、切断装置３６の基端部４４は、断面略Ｌ字形状の位置調整用フレーム部材３３に、上下動自在に装着されており、切断位置調整機構として、位置調整用フレーム部材３３に固定された上下位置調整用マイクロメータ４６が設けられている。
【０１２１】
この上下位置調整用マイクロメータ４６を調整することによって、上下位置調整用マイクロメータ４６の先端が、切断装置３６の基端部４４に当接する。これによって、切断装置３６が、位置調整用フレーム部材３３に対して上下方向に移動して、切断装置３６の回転刃４２の上下方向の位置が微調整することができるようになっている。
【０１２２】
一方、この位置調整用フレーム部材３３は、フレーム部材３１の上部に、図示しないガイドに沿って、蓄電池固定機構１８の方向、ずなわち、蓄電池固定機構１８に固定された蓄電池１００に対して、接近離反する方向（前後方向）に移動できるように装着されている（図５の矢印参照）。
【０１２３】
そして、フレーム部材３１の上部の側部には、切断位置調整機構として、前後方向位置調整用マイクロメータ４８が設けられている。
【０１２４】
この前後方向位置調整用マイクロメータ４８を調整することによって、前後方向位置調整用マイクロメータ４８の先端が、位置調整用フレーム部材３３に側方に突設した突設部５１に当接する。これによって、位置調整用フレーム部材３３が、フレーム部材３１に対して前後方向に移動して、位置調整用フレーム部材３３に装着されている切断装置３６が、蓄電池固定機構１８に固定された蓄電池１００に対して、接近離反する方向、すなわち、前後方向に移動するように構成されている。
【０１２５】
その結果、切断装置３６の回転刃４２の前後方向の位置が微調整することができるようになっている（図４の矢印参照）。
【０１２６】
なお、回転刃４２としては少なくとも刃先が非導電性材料から構成されればよく、図１１に示したように、回転刃本体４２ａと、非導電性材料から構成される刃先部４２ｂから構成してもよいが、回転刃４２全体を非導電性材料から構成しても良い。
【０１２７】
このように構成することによって、回転刃４２が、少なくとも刃先が非導電性材料から構成されているので、正電極１０２と負電極１０４とを万一同時に切断してしまっても、正電極１０２と負電極１０４とが短絡して発火などの事故が発生することがなく、安全性において非常に優れている。
【０１２８】
この場合、非導電性材料としては、非導電性であればよく特に限定されるものではなく、セラミックス、セラミックス粒子を刃先に塗布したもの、ＤＬＣ（Diamond Like Carbon（ダイヤモンドの様なカーボン））などが使用可能である。
【０１２９】
一方、本発明の蓄電池の切断装置１０で用いる蓄電池位置決め治具５０は、図８〜図９に示したように構成されている。
【０１３０】
すなわち、蓄電池位置決め治具５０は、略円筒形状の蓄電池１００の位置決めを行うための固定部材５２を、蓄電池１００の外周の所定の位置に固定する治具である。
【０１３１】
蓄電池位置決め治具５０は、基台５３と、基台５３上に固定された断面略Ｌ字形状のフレーム部材５４を備えており、このフレーム部材５４の上部に、固定台座部材５６が立設されている。
【０１３２】
この固定台座部材５６には、貫通する開口部５８が設けられており、開口部５８の上部に段部６０が形成されており、この段部６０に、固定部材５２を載置して、固定部材５２の下端５２ａに当接するように構成されている。
【０１３３】
一方、固定台座部材５６の下方には、フレーム部材５４に、上下位置調整用のる位置調整部材１３として、上下位置調整用マイクロメータ６２が固定されている。
【０１３４】
従って、使用に際しては、固定台座部材５６の段部６０に、固定部材５２の下端５２ａに当接するように配置して、固定部材５２の内部開口部に、蓄電池１００を挿着して、位置調整部材１３である上下位置調整用マイクロメータ６２を調整する。
【０１３５】
これにより、蓄電池１００の下端１００ａの位置と固定部材５２の下端位置５２ａを、所定の位置にして、係止部材であるネジ部材６４によって、蓄電池１００の外周の所定位置に固定部材５２を固定するようになっている。
【０１３６】
具体的には、図８において一点鎖線で示したように、固定部材５２の上端５２ｂと蓄電池１００の上方絶縁切断位置Ａとの距離Ｌ１と、固定部材５２の下端５２ａと下方絶縁切断位置Ｂとの距離Ｌ２が同じ距離となるように蓄電池１００の外周の所定位置に固定部材５２を固定するようになっている。
【０１３７】
なお、図７０に示したように、蓄電池１００では、負電極１０４の内側に正電極１０２位置するように構成されており、これらの上方絶縁切断位置Ａ、下方絶縁切断位置Ｂは、蓄電池１００のセパレーターの外端部から、負電極１０４の外端部の間に位置するのが望ましい。
【０１３８】
このように絶縁切断位置が、蓄電池１００のセパレーター１０６の外端部から、負電極１０４の外端部の間に位置していれば、絶縁フィルムからなるセパレーター１０６の位置で正確に切断することができ、負電極１０４と、負電極１０４の内側に位置する正電極１０２とを同時に切断して短絡して発火などの事故が発生することがなく、安全性において非常に優れている。
【０１３９】
なお、上方絶縁切断位置Ａは、図６９に示した蓄電池１００の上部のかしめ部（ネッキング部分）の下方近傍、下方絶縁切断位置Ｂは、蓄電池１００の下端から、０．５ｍｍ程度の位置にあるのが好適であるが、蓄電池１００の種類、形状、サイズにより適宜変更可能である。
【０１４０】
このように蓄電池位置決め治具５０を用いて、略円筒形状の蓄電池１００の位置決めを行うための固定部材５２を、蓄電池１００の外周の所定の位置に固定すれば、蓄電池固定機構１８の載置台座部２６の段部２６ａに、蓄電池１００を反転載置した場合に、回転刃４２と、これらの上方絶縁切断位置Ａ、下方絶縁切断位置Ｂとが常に上下方向に一致することになる。
【０１４１】
これにより、蓄電池１００の上方絶縁切断位置Ａと下方絶縁切断位置Ｂの２箇所の絶縁
切断位置で簡単でしかも正確な位置で切断することができる。
【０１４２】
しかも、このように絶縁切断位置が、蓄電池１００の上方絶縁切断位置Ａと下方絶縁切断位置Ｂの２箇所の絶縁切断位置であれば、絶縁切断位置にて切断した後、切断部分を取り除き、上部または下端に開口した部分から、蓄電池の電極体を簡単に引き抜き、取り出すことができる。
【０１４３】
このように構成される本発明の蓄電池の切断装置１０は、以下のように作動される。
【０１４４】
先ず、上記のように、蓄電池位置決め治具５０を用いて、略円筒形状の蓄電池１００の位置決めを行うための固定部材５２を、蓄電池１００の外周の所定の位置に固定する。
【０１４５】
この状態で、作業用扉１４を開けて、蓄電池固定機構１８の載置台座部２６の締め付けリング３０を緩めて、チャック部材２８の間に、載置台座部２６の段部２６ａに固定部材５２の下端５２ａに当接するまで挿着する。
【０１４６】
そして、この状態で、締め付けリング３０を締め付けて、これにより蓄電池１００を固定する。
【０１４７】
なお、切断機本体２０の切断位置調整機構１１の上下位置調整用マイクロメータ４６を調整して、切断装置３６の回転刃４２の上下方向の位置を微調整して、回転刃４２の上下方向の位置が、蓄電池１００の上方絶縁切断位置Ａとなるように予め、蓄電池１００の種類毎に調整しておく。
【０１４８】
また、切断機本体２０の切断位置調整機構１１である、前後方向位置調整用マイクロメータ４８を調整して、切断装置３６の回転刃４２の蓄電池固定機構１８に固定された蓄電池１００に対して、接近離反する方向、すなわち、前後方向の位置を微調整して切断の切り込み深さが、予め、蓄電池１００の種類毎に調整しておく。
【０１４９】
この状態で、作業用扉１４を閉めて、制御ユニット６６のスイッチを入れることによって、作業室１２内には、切断作業の際に、例えば、アルゴンガス、窒素ガスなどの不活性ガス雰囲気となるように不活性ガスが供給される。
【０１５０】
その後、蓄電池固定機構１８のモータ２４が駆動して、載置台座部２６が回転して、載置台座部２６に固定された蓄電池１００が、比較的速度の遅い所定の回転速度（例えば、４rpmの回転速度）で回転する。
【０１５１】
一方、図５、図１１に示したように、待機位置にあった切断機本体２０は、駆動用モータ３８が駆動して、切断装置３６の回転刃４２が所定の速度（この実施例の場合には、３０００rpm）で回転し始める。
【０１５２】
なお、載置台座部２６に固定された蓄電池１００の回転速度と、切断装置３６の回転刃４２の回転速度は、蓄電池１００の種類、封入容器の材質によって適宜変更可能であって特に限定されるものではない。
【０１５３】
その後、待機位置にあった切断機本体２０は、電動スライダー３４の駆動によって、ガイド部材３２上をフレーム部材３１が移動することによって、切断位置へと所定の速度で移動して、蓄電池固定機構１８に固定された蓄電池１００を、蓄電池１００の上方絶縁切断位置Ａで切断するようになっている。
【０１５４】
その後、切断機本体２０は、電動スライダー３４の駆動によって、ガイド部材３２上をフレーム部材３１が移動することによって、再び待機位置へと移動するようになっている。
【０１５５】
なお、図１１に示したように、切断装置３６の回転刃４２の回転方向と、蓄電池１００の回転方向が相互に反対方向になるように回転させるように構成されており、これにより、
効率良くかつスムーズに絶縁切断位置にて切断することができる。
【０１５６】
なお、この蓄電池１００が所定の回転速度と、切断機本体２０の移動速度は同期されるように、制御ユニット６６によって予めプロムラミングされており、蓄電池１００が３６０度以上回転する間に、切断機本体２０の回転刃４２が通過するように設定されている。
【０１５７】
また、図５、図１０の矢印に示したように、切断機本体２０には、回転刃４２に当接して、切粉を回転刃４２より除去するブラシ部材ｂが付設されている。
【０１５８】
このように切断機本体２０において、ブラシ部材ｂを、回転刃４２に当接させ、切粉を回転刃４２により除去するので、切粉が蓄電池１００の封入容器内に侵入して、正電極１０２と負電極１０４とを短絡して発火などの事故が発生することがなく、安全性において非常に優れている。
【０１５９】
以上のような一連の切断、すなわち、蓄電池１００の上方絶縁切断位置Ａで切断した後、作業室１２の前壁１６の図示しない操作用開口部を介して、蓄電池固定機構１８の載置台座部２６の締め付けリング３０を緩めて、蓄電池固定機構１８に固定された蓄電池１００を取り外して、蓄電池１００を反転載置し、載置台座部２６の段部２６ａに固定部材５２の上端５２ｂに当接するまで挿着する。
【０１６０】
そして、この状態で、締め付けリング３０を締め付けて、これにより蓄電池１００を固定する。
【０１６１】
以後は、上記の一連の切断動作によって、蓄電池固定機構１８に固定された蓄電池１００を、蓄電池１００の下方絶縁切断位置Ｂで切断するようになっている。
【０１６２】
そして、切断作業の後、作業用扉１４を開けて、蓄電池固定機構１８の載置台座部２６の締め付けリング３０を緩めて蓄電池１００を取り外して、上部または下端に開口した部分から、蓄電池１００の内容物を引き抜き、取り出すことができ、例えば、従来困難であった、満充電時の蓄電池の性能テストなどを実施することができる。
【０１６３】
このように構成することによって、常に正確な切断位置に蓄電池１００と回転刃４２が位置することになるので、絶縁フィルムからなるセパレーター１０６の位置で正確に切断することができ、正電極１０２と負電極１０４とを同時に切断して短絡して発火などの事故が発生することがなく、安全性において非常に優れている。しかも、この場合、回転刃４２が、少なくとも刃先が非導電性材料から構成されているので、正電極１０２と負電極１０４とを万一同時に切断してしまっても、正電極１０２と負電極１０４とが短絡して発火などの事故が発生することがなく、安全性において非常に優れている。
【０１６４】
このように絶縁切断位置Ａ、Ｂにて切断した後、切断部分を取り除き、上部または下端に開口した部分から、蓄電池の電極体を簡単に引き抜き、取り出すことができ、例えば、従来困難であった、満充電時の蓄電池の性能テストなどを実施することができる。
【０１６５】
なお、この実施例の蓄電池の切断装置１０では、蓄電池１００の上方絶縁切断位置Ａ、下方絶縁切断位置Ｂの両方で切断するようにしたが、蓄電池１００の種類によって、封入容器から蓄電池１００の内容物を取り出せるのであれば、片方の絶縁切断位置のみで切断することが可能である。
【０１６６】
また、この場合、蓄電池１００の上方絶縁切断位置Ａ、下方絶縁切断位置Ｂの切断順序は、いずれが先であっても構わない。
【０１６７】
また、この実施例では、一枚の回転刃４２で、一度の切断作業で、蓄電池１００の上方絶縁切断位置Ａ、下方絶縁切断位置Ｂのいずれか一方を切断するように構成したが、回転刃４２を２枚離間して設けておき、一度に、蓄電池１００の上方絶縁切断位置Ａ、下方絶縁切断位置Ｂの両方で切断することもできる。
【０１６８】
この場合には、図示しないが、蓄電池固定機構１８において、蓄電池１００の固定部材５２を、チャック部材２８、締め付けリング３０で締め付け固定した際に、蓄電池１００の上方絶縁切断位置Ａ、下方絶縁切断位置Ｂが露出するように蓄電池固定機構１８を構成すれば良い。
【０１６９】
また、この実施例では、蓄電池固定機構１８を移動不能として、切断機本体２０を移動するようにしたが、逆に、切断機本体２０を移動不能として、蓄電池固定機構１８を移動可能とすることも、さらには、蓄電池固定機構１８と切断機本体２０の双方を相対的に移動することも可能である。
【０１７０】
なお、この実施例では、切断作業を常温で行うようにしたが、蓄電池１００の内容物の反応を抑制するような低温で行うことももちろん可能である。
【０１７１】
上記の実施例の変更態様に関しては、以下の実施例の場合にも基本的に適用可能であることはもちろんである。
【０１７２】
なお、この場合、切断刃としては、いわゆるフライス加工と呼ばれる切断刃が回転刃からなり回転し、ワークである蓄電池１００が固定した構成するのが望ましいが、いわゆる旋盤加工（切断刃が回転せず固定で、ワークが回転）で、切断することも可能である。
【０１７３】
また、例えば、切断刃としては、回転刃以外に、バイトなどは、突っ切りバイトや溝入れバイトを使用することも可能である。
【０１７４】
図１２は、本発明の蓄電池の切断装置の別の実施例の図５と同様な切断機本体と蓄電池固定機構の部分の拡大斜視図、図１３は、図１２の蓄電池固定機構の斜視図、図１４は、図１３の蓄電池固定機構の上面図、図１５は、図１２の蓄電池の切断装置で用いる蓄電池位置決め治具の正面図、図１６は、図１５の蓄電池位置決め治具のＧ方向矢視図である。
【０１７５】
この実施例の蓄電池の切断装置１０は、図１〜図１１に示したと基本的には同様な構成であり、同一の構成部材には、同一の参照番号を付して、その詳細な説明を省略する。
【０１７６】
この実施例の蓄電池の切断装置１０では、図１２に示したように、蓄電池固定機構１８が、四角柱形状の蓄電池１００を、短手方向と長手方向の２方向から支持して所定位置に固定するチャック部材７０、７２を備えている。
【０１７７】
すなわち、フレーム２２の上部に、略Ｌ字形状となるように、第１の当接部材７４と、第２の当接部材７６が固定されている。
【０１７８】
そして、第１の当接部材７４に対峙するように、固定位置調整機構として、第１の位置調整用マイクロメータ７８が設けられており、この第１の位置調整用マイクロメータ７８の先端に第１の位置調整部材８０が形成されている。
【０１７９】
一方、第２の当接部材７６に対峙するように、固定位置調整機構として、第２の位置調整用マイクロメータ８２が設けられており、この第２の位置調整用マイクロメータ８２の先端に第２の位置調整部材８４が形成されている。この第２の位置調整部材８４は、略Ｌ字形状となっており、図１３、図１４の状態から、蓄電池１００を９０°向きを変えて載置した場合に、第２の位置調整部材８４の凹部８４ａに蓄電池１００の外周の固定部材５２の長手方向の端部５２ｃ、５２ｄが嵌合するように構成されている。
【０１８０】
なお、第２の当接部材７６の高さは、図１３に示したように、蓄電池１００の高さよりも低く形成されており、これにより、上方絶縁切断位置Ａ、または下方絶縁切断位置Ｂが露出するようになっており、第２の当接部材７６に沿って回転刃４２が通過して、四角柱形状の蓄電池１００の一辺を切断することができるようになっている。
【０１８１】
このように構成される蓄電池固定機構１８では、例えば、図１３、図１４に示したように、蓄電池１００の外周の固定部材５２の長手方向の端部５２ｃ、５２ｄが、第１の当接部材７４と第１の位置調整用マイクロメータ７８の先端の第１の位置調整部材８０に当接するようにして、第１の位置調整用マイクロメータ７８を調整することによって、蓄電池１００の長手方向の位置を調整できるようになっている。
【０１８２】
この状態では、蓄電池１００の外周の固定部材５２の短手方向の端部５２ｅ、５２ｆが、第２の当接部材７６と第２の位置調整用マイクロメータ８２の先端の第２の位置調整部材８４に当接するようにして、第２の位置調整用マイクロメータ８２を調整することによって、蓄電池１００の短手方向の位置を調整できるようになっている。
【０１８３】
このようにして、第２の当接部材７６に沿って回転刃４２が通過して、四角柱形状の蓄電池１００の一辺（長手方向）を切断する。
【０１８４】
その後、図１３、図１４の状態から、蓄電池１００を９０°向きを変えて載置した場合に、第２の位置調整部材８４の凹部８４ａに蓄電池１００の外周の固定部材５２の長手方向の端部５２ｃ、５２ｄが嵌合するように固定して、同様にして、第２の当接部材７６に沿って回転刃４２が通過して、四角柱形状の蓄電池１００の一辺（短手方向）を切断する。
【０１８５】
このようして、上方絶縁切断位置Ａ、下方絶縁切断位置Ｂについて、それぞれ４辺、合計８辺を切断することによって、上方絶縁切断位置Ａ、下方絶縁切断位置Ｂにおいて蓄電池１００を切断することができる。
【０１８６】
なお、図１５、図１６に示したように、この実施例の蓄電池の切断装置１０で用いる蓄電池位置決め治具５０は、四角柱形状の蓄電池１００の位置決めを行うための固定部材５２を、蓄電池１００の外周の所定の位置に固定する治具であり、基本的には、円柱形対応が、四角註形状対応になっただけであり、図８、図９の実施例の蓄電池位置決め治具５０と同様な構成であり、その使用方法も同様である。
【０１８７】
このように蓄電池固定機構１８において、チャック部材７０、７２によって、四角柱形状の蓄電池１００を、短手方向と長手方向の２方向から支持して所定位置に固定するので、四角柱形状の蓄電池１００を確実に固定でき、ずれることなく、正確に絶縁切断位置に
て切断することができる。
【０１８８】
また、このようにチャック部材７０、７２の固定位置調整機構によって、蓄電池１００の固定位置を、所定の位置に調整するので、四角柱形状の蓄電池１００を確実にかつ正確な位置に固定でき、正確に絶縁切断位置にて切断することができる。
【０１８９】
図１７は、押圧治具を用いた本発明の蓄電池の切断方法の押圧前の状態を説明する正面図、図１８は、図１７の側面図、図１９は、図１７のＨ−Ｈ線での断面図、図２０は、図１９のＩ部分の拡大図、図２１は、図１９のＪ部分の拡大図、図２２は、押圧治具を用いた本発明の蓄電池の切断方法の押圧状態を説明する正面図、図２３は、図２２の側面図、図２４は、図２３のＨ−Ｈ線での断面図、図２５は、図２４のＩ部分の拡大図、図２６は、図２５のＪ部分の拡大図、図２７は、押圧治具を用いた本発明の蓄電池の切断方法の押圧前の状態を説明する斜視図、図２８は、図２７のＫ−Ｋ線での断面図である。
【０１９０】
押圧治具８５は、図１７〜図１９に示したように、基台８６と、この基台フレーム８６から立設されたフレーム８７を備えており、このフレーム８７の先端に、トグルクランプ８８が装着されている。
【０１９１】
このトグルクランプ８８の上部には、操作レバー８９を備えているとともに、クランプ８８の下端には、上治具ホルダー９０を備えている。この上治具ホルダー９０に、図２０の拡大図に示したように、加圧上治具９１が装着されている。
【０１９２】
一方、基台８６の上面には、加圧下治具９２を備えており、この加圧下治具９２には、図２１の拡大図に示したように、蓄電池１００の封入容器１０１の容器本体１０８の上部開口部を支持する加圧受け座９３が設けられている。なお、この加圧受け座９３には、正極タブ（正極リード）１１４を収容するための凹部９４が形成されている。
【０１９３】
また、基台８６上のフレーム８７側には、ストッパー９５が設けられており、操作レバー８９を押し下げて、加圧上治具９１を下降させた際に、上治具ホルダー９０の下面に当接して、加圧受け座９３から所定の距離に、すなわち、蓄電池１００の封入容器１０１の容器本体１０８の底部１０８ａを所定の寸法に変形させるように、加圧上治具９１を停止させるように構成されている。
【０１９４】
このような押圧治具８５を用いた本発明の蓄電池の切断方法について、以下に説明する。
【０１９５】
図２７、図２８に示したように、上記の実施例と同様に、蓄電池位置決め治具５０を用いて、略円筒形状の蓄電池１００の位置決めを行うための固定部材５２を、蓄電池１００の外周の所定の位置に固定する。
【０１９６】
この状態で、本発明の蓄電池の切断装置１０を用いて、円筒形の蓄電池１００を、上方絶縁切断位置Ａにて切断した後、図２７、図２８に示したように、封入容器１０１の容器本体１０８の底部を押圧治具８５を用いて下方から押圧して変形させて、変形部１０５を上方に突出させて、封入容器内１０１内で電極体１０３を上方に押し上げる。
【０１９７】
すなわち、図１７〜図２１に示したように、蓄電池１００の封入容器１０１の容器本体１０８の上部開口部を、加圧受け座９３に当接するように載置した後、操作レバー８９を押し下げて、加圧上治具９１を下降させる。
【０１９８】
なお、図１７〜図２６の説明では、蓄電池１００の封入容器１０１が天地が逆になって
おり、上下方向は逆に説明していることに留意されたい。
【０１９９】
これにより、図２５に示したように、封入容器１０１の底部が、上治具ホルダー９０によって押圧されて、封入容器１０１の底部が変形して、変形部１０５が形成される。
【０２００】
なお、この場合、ストッパー９５が、操作レバー８９を押し下げて、加圧上治具９１を下降させた際に、上治具ホルダー９０の下面に当接して、蓄電池１００の封入容器１０１の容器本体１０８の底部１０８ａを所定の寸法に変形させるように、加圧上治具９１が停止される。
【０２０１】
この状態では、図２５に示したように、封入容器１０１の底部から、蓄電池１００のセパレーター１０６の外端部まで切断スペースＳが確保されることになる。
【０２０２】
また、この状態では、図２６に示したように、電極体１０３が、加圧受け座９３から下方に押し下げられた状態となっている。
【０２０３】
そして、この状態で、本発明の蓄電池の切断装置１０を用いて、下方絶縁切断位置Ｂにおいて切断する。
【０２０４】
なお、この場合、蓄電池１００は、蓄電池１００の位置決めを行うための固定部材５２を固定したままであるので、再度位置決めする必要はない。
【０２０５】
このように封入容器１０１の底部を押圧治具８５を用いて下方から押圧して変形させて、封入容器内１０１で電極体１０３を上方に押し上げた状態では、封入容器１０１の底部から、蓄電池１００のセパレーター１０６の外端部まで切断スペースが確保されることになる。
【０２０６】
特に、このように上方絶縁切断位置Ａにて、蓄電池１００を切断した後、封入容器１０１の底部を押圧治具８５を用いて下方から押圧して変形させれば、封入容器１０１の上部が開口した状態であるので、変形させた際に、封入容器１０１内で電極体１０３を上方に容易にかつ正確に押し上げることができる。
【０２０７】
従って、封入容器１０１の底部から、蓄電池１００のセパレーター１０６の外端部まで切断スペースが確実に確保されることになる。
【０２０８】
従って、下方絶縁切断位置Ｂの設定の幅が大きくとれるとともに、下方絶縁切断位置Ｂにおいて負電極１０４と正電極１０２が確実に存在しない状態であるので、負電極１０４と、負電極１０４の内側に位置する正電極１０２とを同時に切断して短絡して発火などの事故が発生することがなく、安全性において非常に優れている。
【０２０９】
しかも、下方絶縁切断位置Ｂにおいて負電極１０４と正電極１０２が確実に存在しない状態であるので、回転刃として、市販品であり、安価で、種類が豊富である（厚さが０．１ｍｍまである）メタルソーが使える、交換が容易であり、しかも、機能的にも、寿命、切れ味（バリ）、切削抵抗（切削温度）において優れている。
【０２１０】
この場合、回転刃４２が、メタルソーから構成することができる。
【０２１１】
すなわち、封入容器１０１の底部を押圧治具８５を用いて下方から押圧して変形させて、封入容器１０１内で電極体１０３を上方に押し上げた状態で、蓄電池１００を絶縁切断位置にて切断する場合には、下方絶縁切断位置Ｂにおいて負電極１０４と正電極１０２が
確実に存在しない状態であるので、回転刃４２として、市販品であり、安価で、種類が豊富である（厚さが０．１ｍｍまである）メタルソーが使える、交換が容易であり、しかも、機能的にも、寿命、切れ味（バリ）、切削抵抗（切削温度）において優れている。
【０２１２】
この場合、押圧治具８５を、先に上方絶縁切断位置Ａにて、蓄電池１００を切断した場合には、封入容器１０１の上部が開口した状態であるので、蓄電池の封入容器内の電解液などが反応して発火などの事故が発生するのが防止するためには、作業室１２内に配置することが望ましい。
【０２１３】
なお、この場合、封入容器１０１の底部を押圧治具８５を用いて下方から押圧して変形させて、封入容器１０１内で電極体１０３を上方に押し上げた後、蓄電池１０１を絶縁切断位置、ずなわち、上方絶縁切断位置Ａ、下方絶縁切断位置Ｂにて切断することもできる。
【０２１４】
先に上方絶縁切断位置Ａにて、蓄電池１００を切断した場合には、封入容器１０１の上部が開口した状態であるので、封入容器１０１の底部を押圧変形するための押圧治具８５は、切断機本体２０と同様に、不活性雰囲気などに設置する必要がある。
【０２１５】
これに対して、蓄電池１００を絶縁切断位置にて切断する前に、先に押圧治具８５で封入容器１０１の底部を押圧して変形させれば、蓄電池位置決め治具５０と同様に、押圧治具８５による封入容器１０１の底部の押圧、変形を、大気中で行うことが可能となる。
【０２１６】
従って、作業性の向上が図ることができ、しかも、不活性ガス雰囲気の作業室１２である、小型のグローブボックスやドライチャンバーには、スペースが限られており、収納する装置の大きさには、制約があるため、収納する治具点数が少ない方が良いと言え、この点からも非常に優れている。
【０２１７】
なお、この実施例の発明の蓄電池の切断装置および切断方法においては、封入容器１０１の上部と、負電極１０４の外端部の間に距離があり、封入容器１０１の底部と負電極１０４の外端部の間に距離がない場合に有効である（図２９〜図３１、図４０〜図４２参照）。
【０２１８】
この場合、図２８に示したように、押し上げ距離Ｌ３としては、封入容器１０１の材質、負電極１０４の外端部の間の距離にもよるが、例えば、２ｍｍ〜１０ｍｍ程度とするのが望ましい。
【０２１９】
なお、この場合、押し上げ距離Ｌ３が、１０ｍｍ程度であれば、電極体１０３の上部の掴み代が十分とれることになるので、蓄電池１００の封入容器１０１を下方絶縁切断位置Ｂで切断する必要はない。
【０２２０】
図１７〜図２８の押圧治具８５は、円筒形状の蓄電池１００に適用したものであるが、図５９〜図６８は、それぞれ図１７〜図２８に対応しており、この押圧治具８５は、四角柱形状の蓄電池１００に適用したものであって、その作動は同様であるので、その詳細な説明は省略する。
【０２２１】
本発明の蓄電池の切断装置１０を用いて、以下のように蓄電池１００の解体を実施した（実施例１〜実施例４参照）。
【０２２２】
実施例１では、円筒形状の蓄電池１００を、上方絶縁切断位置Ａ、下方絶縁切断位置Ｂにおいて、上下連続で切断し、実施例２では、四角柱形状の蓄電池１００を、上方絶縁切
断位置Ａ、下方絶縁切断位置Ｂにおいて、上下連続で切断した。
【０２２３】
一方、実施例３では、円筒形の蓄電池１００を、上方絶縁切断位置Ａにて切断した後、封入容器１０１の容器本体１０８の底部を押圧治具８５を用いて下方から押圧して変形させて、封入容器内で電極体を上方に押し上げた。その後、蓄電池１００を、下方絶縁切断位置Ｂにおいて切断し、上下連続で切断した。
【実施例１】
【０２２４】
図２９〜図３１に示したように、円筒形状の蓄電池１００として、円筒形リチウムイオン二次電池（サイズ：１８６５０（外径φ１８ｍｍ、高さ６５ｍｍ）、封入容器１０１の材質：鉄にニッケルメッキ、肉厚ｔ０．２５ｍｍ）を、切断前の電圧が3.６Ｖになるように充電した状態で用いた。
【０２２５】
この蓄電池１００を、蓄電池位置決め治具５０を用いて、円筒形状の蓄電池１００の位置決めを行うための固定部材５２を、蓄電池１００の外周の所定の位置に固定した。
【０２２６】
そして、本発明の蓄電池の切断装置１０を用いて、蓄電池１００の封入容器１０１を上方絶縁切断位置Ａで切断した（図３２〜図３４参照）。
【０２２７】
この場合、図３４に示したように、上方絶縁切断位置Ａが、絶縁部材１１６より上方にあるので、電極体１０３を切断することがない。また、絶縁部材１１６が、切断された切粉受けとなる。
【０２２８】
その後、本発明の蓄電池の切断装置１０を用いて、蓄電池１００の封入容器１０１を下方絶縁切断位置Ｂで切断した（図３５〜図３７参照）。
【０２２９】
この場合、図３７に示したように、絶縁部材１１８の上方を切断しており、電極体１０３が切断面から露出しており、電極体１０３のセパレーター１０６のみ切断していることになる。
【０２３０】
なお、この場合、蓄電池１００の上方絶縁切断位置Ａ、下方絶縁切断位置Ｂの切断順序は、いずれが先であっても構わない。
【０２３１】
なお、切断条件としては、回転刃４２として、メタルソー（材質ハイス（高速度工具鋼）／外径４５ｍｍ／厚み０．２ｍｍ／刃数９０）を、蓄電池固定機構１８の載置台座部２６の回転数が４ｒｐｍ、回転刃４２の回転数が２４００ｒｐｍ、０．５ｍｍの切り込み量、アッパーカットの切削回転方向で、大気中で、２５℃の雰囲気温度で行った。
【０２３２】
そして、切断中は、Ｋ型熱電対を用いて温度測定を行うとともに、テスターを用いて電圧測定によりモニタリングを実施した。
【０２３３】
次に、ピンセット等で切断した部分を開き、正極タブ（正極リード）１１４をニッパー等でカットした。金属でも良いが、誤って短絡させないよう、絶縁体のピンセット(ポリ
プロピレン)とハサミ(セラミックス)を使用した。なお、蓄電池１００の封入容器１０１
を片側で切断したら、切断部を分離しても構わない。
【０２３４】
その後、電極体１０３を、封入容器１０１から引き抜き、取り出した。
【０２３５】
なお、この電極体１０３の引き抜き、取り出しは、金属でも良いが、誤って短絡させないよう、図３８〜図３９に示したように、絶縁体の押し棒（テフロン（登録商標））１５
を使用した。この場合、缶上下、どちらから押し出しても構わない。また、電極体の押し出し量は１０ｍｍ程度と、掴み代ができれば、簡単に抜き取れる。
【０２３６】
その結果、切断後の電圧降下はなく、切断前の電圧と変わらなかった。
【０２３７】
切断中の温度も、最大で２℃程度の上昇だった。
【０２３８】
また、電極体１０３を取り出し、観察したところ、上側（蓋部材１１２側）のセパレーター１０６は切れていないが、下側のセパレーター１０６は僅かに（０．５ｍｍ程度）切れていた。
【０２３９】
セパレーター１０６には、１ｍｍ程の覆い代が残っており、短絡の問題はないことが確認できた。すなわち、電極を保護するセパレーターの覆い代が十分にあることが分かった。
【実施例２】
【０２４０】
図４０〜図４２に示したように、四角柱形状の蓄電池１００として、角形リチウムイオン二次電池１０３４５０（厚み１０ｍｍ／幅３４ｍｍ／高さ５０ｍｍ／隅Ｒ３ｍｍ）、封入容器１０１の材質：アルミ。肉厚ｔ０．５ｍｍ）を、切断前の電圧が３．６Ｖになるように充電した状態で用いた。
【０２４１】
この蓄電池１００を、蓄電池位置決め治具５０を用いて、四角柱形状の蓄電池１００の位置決めを行うための固定部材５２を、蓄電池１００の外周の所定の位置に固定した。
【０２４２】
そして、本発明の蓄電池の切断装置１０を用いて、蓄電池１００の封入容器１０１を上方絶縁切断位置Ａで切断した（図４３〜図４５参照）。
【０２４３】
その後、本発明の蓄電池の切断装置１０を用いて、蓄電池１００の封入容器１０１を下方絶縁切断位置Ｂで切断した（図４６〜図４８参照）。
【０２４４】
なお、この場合、蓄電池１００の上方絶縁切断位置Ａ、下方絶縁切断位置Ｂの切断順序は、いずれが先であっても構わない。
【０２４５】
なお、切断条件としては、回転刃４２として、メタルソー（材質ハイス（高速度工具鋼）／外径４５ｍｍ／厚み０．２ｍｍ／刃数９０）を、電動スライダー３４の送り速度が３ｍｍ／ｓ、回転刃４２の回転数が２４００ｒｐｍ、幅方向０．７ｍｍ／厚み方向２．７ｍｍの切り込み量、アッパーカットの切削回転方向で、大気中で、２５℃の雰囲気温度で行った。
【０２４６】
そして、切断中は、Ｋ型熱電対を用いて温度測定を行うとともに、テスターを用いて電圧測定によりモニタリングを実施した。
【０２４７】
次に、ピンセット等で切断した部分を開き、正極タブ（正極リード）１１４をニッパー等でカットした。金属でも良いが、誤って短絡させないよう、絶縁体のピンセット(ポリ
プロピレン)とハサミ(セラミックス)を使用した。なお、蓄電池１００の封入容器１０１
を片側で切断したら、切断部を分離しても構わない。
【０２４８】
その後、電極体１０３を、封入容器１０１から引き抜き、取り出した。
【０２４９】
なお、この電極体１０３の引き抜き、取り出しは、金属でも良いが、誤って短絡させな
いよう、絶縁体の押し棒（テフロン（登録商標））を使用した。この場合、缶上下、どちらから押し出しても構わない。また、電極体の押し出し量は１０ｍｍ程度と、掴み代ができれば、簡単に抜き取れる。
【０２５０】
その結果、切断後の１Ｖ程度と電圧降下が、顕著に認められた。電圧を測定しながら切断していたため、電圧が下がったのは、蓄電池１００の封入容器１０１を下方絶縁切断位置Ｂで切断したのみであることを確認した。
【０２５１】
その際の封入容器１０１の温度は、５０℃近辺まで上昇した。
【０２５２】
そして、電極体１０３を封入容器１０１から取り出し、観察したところ、下側（封入容器１０１の底側）のみ電極ごと切断していることを確認した(図４８参照)。
【実施例３】
【０２５３】
図２９〜図３１に示したように、円筒形状の蓄電池１００として、円筒形リチウムイオン二次電池（サイズ：１８６５０（外径φ１８ｍｍ、高さ６５ｍｍ）、封入容器１０１の材質：鉄にニッケルメッキ、肉厚ｔ０．２５ｍｍ）を、切断前の電圧が3.６Ｖになるように充電した状態で用いた。
【０２５４】
この蓄電池１００を、蓄電池位置決め治具５０を用いて、円筒形状の蓄電池１００の位置決めを行うための固定部材５２を、蓄電池１００の外周の所定の位置に固定した。
【０２５５】
そして、本発明の蓄電池の切断装置１０を用いて、蓄電池１００の封入容器１０１を上方絶縁切断位置Ａで切断した。
【０２５６】
次に、ピンセット等で切断した部分を開き、正極タブ（正極リード）１１４をニッパー等でカットした。金属でも良いが、誤って短絡させないよう、絶縁体のピンセット(ポリ
プロピレン)とハサミ(セラミックス)を使用した。
【０２５７】
その後、図２７、図２８に示したように、封入容器１０１の容器本体１０８の底部を押圧治具８５を用いて下方から押圧して変形させて、変形部１０５を上方に突出させて、封入容器内１０１内で電極体１０３を２ｍｍ程度上方に押し上げた。
【０２５８】
そして、この状態で、本発明の蓄電池の切断装置１０を用いて、下方絶縁切断位置Ｂにおいて切断した（図４９〜図５１参照）。
【０２５９】
なお、この場合、蓄電池１００の位置決めを行うための固定部材５２は固定したままであるので、再度位置決めする必要はない。
【０２６０】
なお、切断条件としては、回転刃４２として、メタルソー（材質ハイス（高速度工具鋼）／外径４５ｍｍ／厚み０．２ｍｍ／刃数９０）を、蓄電池固定機構１８の載置台座部２６の回転数が４ｒｐｍ、回転刃４２の回転数が２４００ｒｐｍ、０．５ｍｍの切り込み量、アッパーカットの切削回転方向で、大気中で、２５℃の雰囲気温度で行った。
【０２６１】
そして、切断中は、Ｋ型熱電対を用いて温度測定を行うとともに、テスターを用いて電圧測定によりモニタリングを実施した。
【０２６２】
次に、ピンセット等で切断した部分を開き、負電極１０４の負極リード１１０をニッパー等でカットした。金属でも良いが、誤って短絡させないよう、絶縁体のピンセット(ポ
リプロピレン)とハサミ(セラミックス)を使用した。
【０２６３】
その後、電極体１０３を、封入容器１０１から引き抜き、取り出した。
【０２６４】
なお、この電極体１０３の引き抜き、取り出しは、金属でも良いが、誤って短絡させないよう、図３８〜図３９に示したように、絶縁体の押し棒（テフロン（登録商標））１５を使用した。この場合、缶上下、どちらから押し出しても構わない。また、電極体の押し出し量は１０ｍｍ程度と、掴み代ができれば、簡単に抜き取れる。
【０２６５】
その結果、切断後の電圧降下はなく、切断前の電圧と変わらなかった。
【０２６６】
切断中の温度も、最大で２℃程度の上昇だった。
【０２６７】
また、電極体１０３を取り出し、観察したところ、上側（蓋部材１１２側）のセパレーター１０６、下側のセパレーター１０６のいずれも全く切断されておらず、電極体１０３の上下に挟まれた絶縁部材１１６、１１８も全く切断されていなかった。
【実施例４】
【０２６８】
図４０〜図４２に示したように、四角柱形状の蓄電池１００として、角形リチウムイオン二次電池１０３４５０（厚み１０ｍｍ／幅３４ｍｍ／高さ５０ｍｍ／隅Ｒ３ｍｍ）、封入容器１０１の材質：アルミ。肉厚ｔ０．５ｍｍ）を、切断前の電圧が３．６Ｖになるように充電した状態で用いた。
【０２６９】
この蓄電池１００を、蓄電池位置決め治具５０を用いて、四角柱形状の蓄電池１００の位置決めを行うための固定部材５２を、蓄電池１００の外周の所定の位置に固定した。
【０２７０】
そして、本発明の蓄電池の切断装置１０を用いて、蓄電池１００の封入容器１０１を上方絶縁切断位置Ａで切断した。
【０２７１】
次に、ピンセット等で切断した部分を開き、正極タブ（正極リード）１１４をニッパー等でカットした。金属でも良いが、誤って短絡させないよう、絶縁体のピンセット(ポリ
プロピレン)とハサミ(セラミックス)を使用した。
【０２７２】
その後、図５２〜図５５に示したように、封入容器１０１の容器本体１０８の底部を押圧治具８５を用いて下方から押圧して変形させて、変形部１０５を上方に突出させて、封入容器内１０１内で電極体１０３を２ｍｍ程度上方に押し上げた。
【０２７３】
そして、この状態で、本発明の蓄電池の切断装置１０を用いて、下方絶縁切断位置Ｂにおいて切断した（図５６〜図５８参照）。
【０２７４】
なお、この場合、蓄電池１００の位置決めを行うための固定部材５２は固定したままであるので、再度位置決めする必要はない。
【０２７５】
なお、切断条件としては、回転刃４２として、メタルソー（材質ハイス（高速度工具鋼）／外径４５ｍｍ／厚み０．２ｍｍ／刃数９０）を、電動スライダー３４の送り速度が３ｍｍ／ｓ、回転刃４２の回転数が２４００ｒｐｍ、幅方向０．７ｍｍ／厚み方向２．７ｍｍの切り込み量、アッパーカットの切削回転方向で、大気中で、２５℃の雰囲気温度で行った。
【０２７６】
そして、切断中は、Ｋ型熱電対を用いて温度測定を行うとともに、テスターを用いて電圧測定によりモニタリングを実施した。
【０２７７】
次に、ピンセット等で切断した部分を開き、負電極１０４の負極リード１１０をニッパー等でカットした。金属でも良いが、誤って短絡させないよう、絶縁体のピンセット(ポ
リプロピレン)とハサミ(セラミックス)を使用した。
【０２７８】
その後、電極体１０３を、封入容器１０１から引き抜き、取り出した。
【０２７９】
なお、この電極体１０３の引き抜き、取り出しは、金属でも良いが、誤って短絡させないよう、絶縁体の押し棒（テフロン（登録商標））を使用した。この場合、缶上下、どちらから押し出しても構わない。また、電極体の押し出し量は１０ｍｍ程度と、掴み代ができれば、簡単に抜き取れる。
【０２８０】
その結果、切断後の電圧降下はなく、切断前の電圧と変わらなかった。
【０２８１】
切断中の温度も、最大で２℃程度の上昇だった。
【０２８２】
また、電極体１０３を取り出し、観察したところ、上側（蓋部材１１２側）のセパレーター１０６、下側のセパレーター１０６のいずれも全く切断されておらず、電極体１０３の上下に挟まれた絶縁部材１１６、１１８も全く切断されていなかった。
【０２８３】
以上の実施例１〜実施例４の結果、実施例1においては、切断後の電圧降下はなかった
。
【０２８４】
また、実施例２では、電圧降下が顕著に見られた。電圧を測定しながら、切断していたため、電圧が下がったのは、封入容器１０１の底部を切断した際のみであることを確認した。
【０２８５】
切断後に電極体１０３を取り出し、確認したが、実施例１では、下側のセパレーター１０６のみが僅かに切断されており、電極を保護するセパレーター１０６の覆い代は十分にあることが分かった。
【０２８６】
一方、実施例２では、下側のみ、電極ごと切ってしまっていた。これは、回転刃４２に金属を使用していることもあるが、蓄電池１００の構造に大きく起因するものと考えられる。上側には切断スペースがあるが、下側には切断スペースが限られているからである（図３１参照）。
【０２８７】
電極体１０３は、正電極１０２と負電極１０４が短絡しないよう、厚み２０ミクロン程度のセパレーター１０６を間に挟み、幅も電極に比べ１．５ｍｍ程度と長くされ、覆い代がある。しかしながら、封入容器１０１に挿入された状態では、この覆い代が上下ともに内側に折られ、ほとんどないことが分かっている。
【０２８８】
セパレーター１０６を内側に折る目的は、決められたサイズの中で、電池容量が望まれるため、デットスペースを少なくすること、また、製造工程での金属粉などのコンタミが、電極には入らないようにするためであることが知られている。
【０２８９】
封入容器１０１の上側は、封口や集電のため、切断できるようなスペースがあるが、封入容器１０１の下側は切断スペースが限られている（図３１参照）。
【０２９０】
特に四角柱形状の角型の蓄電池１００では、電極が完全に封入容器１０１の底部まで押し込まれ、セパレーター１０６の下側は完全に折られ、セパレーター１０６の厚み程度し
かなくなり、実際の封入容器１０１の底部の切断スペースはないことが分かっている。
【０２９１】
一般的に電池の集電は、円筒形電池は、正極は蓋部材１１２側（上側）、負極は容器本体１０８の底部（下側）から、正極リード（タブ）１１４、負極リード（タブ）１１０により行われ、角形電池は、正極負極ともに蓋部材１１２側（上側）からタブにより行われているため、角型電池の電極体１０３は、缶底まで押し込むことが可能であり、下側のセパレーター１０６は内側に完全に折られた状態になっている。
【０２９２】
本発明の蓄電池の切断装置１０により、切断位置（Ｚ方向）、切り込み量（Ｘ方向）を調整すれば、封入容器１０１の容器本体１０８の厚み分で切断できると考えるが、非常に難しいと考える。それは限られたスペースで、高容量を望まれる今の電池に、余分なスペースはほとんどないからである。
【０２９３】
セパレーター１０６の外周は、余分に巻かれているのは一周程度であり、切り込み量の調整が難しい。封入容器１０１の容器本体１０８を完全に切らない程度の切り込み量（簡単に切断箇所が取れる程度）で切断できるように調整しても、短絡が生じたり、切断部が取れなかったりと、何個も続けて同じように切断できないと考えられる。
【０２９４】
実際に切断する電池には、電池本来の性能とは関係のない、必要以上の外形精度が要求される。また回転刃４２の磨耗も無視できない。
【０２９５】
容器本体１０８の底部のみは、回転刃４２に換えて、エンドミルや正面フライスなどで、底板を切削する方法や、エンドミルなどで、穴を開ける方法も考えられるが、上記の理由により、困難であると考えられる。短絡の問題や、切削温度の問題が生じる。
【０２９６】
一方、セラミックスなどの絶縁刃であれば、仮に正極と負極を切るような高さ位置（Ｚ方向）で切断しても、電圧低下が起こらないと考えられる。メタルソーなどに比べると、特殊に製作する必要があり、非常に高価な刃物となる。また、工具の寿命、切れ味（バリ）、切削抵抗（切削温度）、など多くの点でメタルソーに劣る。また電極を切るような高さ位置で切断すると、切断箇所は、正極負極セパレーターの幅が一緒になってしまい、ハンドリングの際に短絡させ易い構造になってしまう。また切断時の切粉により、短絡させてしまう可能性がある。
【０２９７】
このような課題を解決したのが、実施例３および４である。
【０２９８】
回転は４２として、実施例１、２では、切断や浅い溝入れに適したメタルソーを使用している。
【０２９９】
本発明の蓄電池の切断装置１０により、切断スペースがある上部をまず切断する。
【０３００】
次に押圧治具８５により、入封入容器１０１の容器本体１０８の底部を押圧治具８５を用いて下方から押圧して変形させて、変形部１０５を上方に突出させて、封入容器内１０１内で電極体１０３を２ｍｍ程度上方に押し上げた。
【０３０１】
これにより、下側の切断スペースを確保することに成功した。蓄電池１００の位置決めを行うための固定部材５２は固定したままでなので（位置決めする必要もなく）、反対側（封入容器１０１の容器本体１０８の底部側）を本発明の蓄電池の切断装置１０に装着し、切断した。
【０３０２】
その結果、円筒も角形も、電圧降下がなく、切断することに成功した。電極体１０３を
取り出し観測した結果、挿入された状態を維持していた。
【０３０３】
また、セパレーター１０６、電極体１０３の上下に挟まれた絶縁部材１１６、１１８のいずれも全く切断されていなかった。これによって、切粉による短絡を防止できる。
【０３０４】
ところで、アッパーカット、薄い刃物、集塵機により、切粉の内部への混入を減らすことはできるが、切断する以上、切粉は発生するので、切粉による短絡が懸念されるが、切粉は絶縁部材１１６、１１８に落ちる。また、セパレーター１０６が内側に折られているので、電極までは届かない。
【０３０５】
また、回転刃４２として、メタルソーが使える。すなわち、市販品であり、安価、種類が豊富（ｔ０．１ｍｍまで）であるので、交換が容易である。また機能的にも、寿命、切れ味（バリ）、切削抵抗（切削温度）で優れる。切断箇所近傍に熱電対を貼り、切断中の温度を実測したが、温度は最大で２℃程度しか上がらなかった。これは切断による温度上昇が小さく、電極体１０３への温度の影響を与えないことを意味する。
【０３０６】
以上の点から、本発明は、電池の構造を考慮した有効な専用切断装置および切断方法』である。また、『強制内部短絡試験の手順（ＪＩＳ  Ｃ  ８７１４：２００７付属書Ａ）』内、Ａ．３．１項『充電済み電池の解体』には、『Ａ．２の手順で充電した単電池を解体し、電極体を取り出す』と記されている。本発明により、『充電済み電池の解体』として有効な専用装置と方法を提供できるものである。
【０３０７】
すなわち、充電された蓄電池１００を、電圧降下無く、電極体の中身に損傷が無く、簡単に確実に解体する方法』として、実施例３、実施例４は優れている。
【０３０８】
また、『充電されていない、電圧降下を考慮しない、解体できれば良い』という目的であれば、実施例１、実施例２の方法で十分であると考えられる。例えば、実施例１では、円筒形の蓄電池１００について、電圧降下なく解体できたものである。
【０３０９】
また、同じ規格の電池サイズであっても、製造メーカ、充電の有無、電極体の抜き取り易さに差が生じる。上側を切っただけで、取れる場合もある。また、電池が、上側同様、封入容器１０１の容器本体１０８の底部側にも切断スペースがあれば、実施例１、実施例２の方法でも、電圧降下なく、切断可能である。
【０３１０】
充電された電池の切断（出火の危険性）は、装置を小型化し、ブローブボックス（不活性雰囲気）に収納できるようにした。この点においては、不活性雰囲気での切断が最善と考えられるが、ドライルームやドライチャンバーで切断することも可能である。
【０３１１】
すなわち、『強制内部短絡試験の手順（ＪＩＳ  Ｃ  ８７１４：２００７付属書Ａ）』には、充電した電池を解体する雰囲気は、『周囲温度２０±５℃、露点−２５℃以下』と記載されており、『不活性雰囲気のみ』という限定はされないことはもちろんである。
【０３１２】
以上、本発明の好ましい実施の態様を説明してきたが、本発明はこれに限定されることはなく、例えば、上記実施例では、いわゆる縦置き型の切断装置として構成したが、いわゆる横置き型の切断装置として構成することも可能であるなど本発明の目的を逸脱しない範囲で種々の変更が可能である。
【産業上の利用可能性】
【０３１３】
本発明は、封入容器内に封入された、例えば、パソコン、携帯電話、デジタルカメラなどの電子機器に用いられる、マンガン電池、アルカリ電池、リチウム電池等の一次電池や
、鉛蓄電池、ニッケル・カドミウム電池、ニッケル・水素電池、リチウムイオン電池などの二次電池、二重層キャパシター、コンデンサーなどにおいて、安全性試験などの所定の検査などを行うために、封入容器内の内容物を封入容器から取り出すための蓄電池の切断装置および蓄電池の切断方法に適用可能である。
【符号の説明】
【０３１４】
１０   切断装置
１２   作業室
１１   切断位置調整機構
１２ａ 床部
１３   位置調整部材
１４   作業用扉
１６   前壁
１８   蓄電池固定機構
２０   切断機本体
２２   フレーム
２４   モータ
２６   載置台座部
２６ａ 段部
２８   チャック部材
３０   締め付けリング
３１   フレーム部材
３２   ガイド部材
３３   位置調整用フレーム部材
３４   電動スライダー
３６   切断装置
３８   駆動用モータ
４０   回転刃支持部材
４２   回転刃
４２ａ 回転刃本体
４２ｂ 刃先部
４４   基端部
４６   上下位置調整用マイクロメータ
４８   前後方向位置調整用マイクロメータ
５０   蓄電池位置決め治具
５１   突設部
５２   固定部材
５３   基台
５２ａ 下端
５２ｂ 上端
５４   フレーム部材
５６   固定台座部材
５８   開口部
６０   段部
６２   上下位置調整用マイクロメータ
６４   ネジ部材
６６   制御ユニット
７０、７２    チャック部材
７４   第１の当接部材
７６   第２の当接部材
７８   第１の位置調整用マイクロメータ
８０   第１の位置調整部材
８２   第２の位置調整用マイクロメータ
８４   第２の位置調整部材
８４ａ 凹部
８５   押圧治具
８６   基台
８７   フレーム
８８   トグルクランプ
８９   操作レバー
９０   上治具ホルダー
９１   加圧上治具
９２   加圧下治具
９３   加圧受け座
９４   凹部
１００ 蓄電池
１００ａ      下端
１０１ 封入容器
１０３ 電極体
１０２ 正電極
１０４ 負電極
１０６ セパレーター
１０８ 容器本体
１１０ 負極リード
１１２ 蓋部材
１１４ 正極リード
Ａ     上方絶縁切断位置
Ｂ     下方絶縁切断位置
ｂ     ブラシ部材
【図１】
2010198865.tif 000003
【図２】
2010198865.tif 000004
【図３】
2010198865.tif 000005
【図４】
2010198865.tif 000006
【図５】
2010198865.tif 000007
【図６】
2010198865.tif 000008
【図７】
2010198865.tif 000009
【図８】
2010198865.tif 000010
【図９】
2010198865.tif 000011
【図１０】
2010198865.tif 000012
【図１１】
2010198865.tif 000013
【図１２】
2010198865.tif 000014
【図１３】
2010198865.tif 000015
【図１４】
2010198865.tif 000016
【図１５】
2010198865.tif 000017
【図１６】
2010198865.tif 000018
【図１７】
2010198865.tif 000019
【図１８】
2010198865.tif 000020
【図１９】
2010198865.tif 000021
【図２０】
2010198865.tif 000022
【図２１】
2010198865.tif 000023
【図２２】
2010198865.tif 000024
【図２３】
2010198865.tif 000025
【図２４】
2010198865.tif 000026
【図２５】
2010198865.tif 000027
【図２６】
2010198865.tif 000028
【図２７】
2010198865.tif 000029
【図２８】
2010198865.tif 000030
【図２９】
2010198865.tif 000031
【図３０】
2010198865.tif 000032
【図３１】
2010198865.tif 000033
【図３２】
2010198865.tif 000034
【図３３】
2010198865.tif 000035
【図３４】
2010198865.tif 000036
【図３５】
2010198865.tif 000037
【図３６】
2010198865.tif 000038
【図３７】
2010198865.tif 000039
【図３８】
2010198865.tif 000040
【図３９】
2010198865.tif 000041
【図４０】
2010198865.tif 000042
【図４１】
2010198865.tif 000043
【図４２】
2010198865.tif 000044
【図４３】
2010198865.tif 000045
【図４４】
2010198865.tif 000046
【図４５】
2010198865.tif 000047
【図４６】
2010198865.tif 000048
【図４７】
2010198865.tif 000049
【図４８】
2010198865.tif 000050
【図４９】
2010198865.tif 000051
【図５０】
2010198865.tif 000052
【図５１】
2010198865.tif 000053
【図５２】
2010198865.tif 000054
【図５３】
2010198865.tif 000055
【図５４】
2010198865.tif 000056
【図５５】
2010198865.tif 000057
【図５６】
2010198865.tif 000058
【図５７】
2010198865.tif 000059
【図５８】
2010198865.tif 000060
【図５９】
2010198865.tif 000061
【図６０】
2010198865.tif 000062
【図６１】
2010198865.tif 000063
【図６２】
2010198865.tif 000064
【図６３】
2010198865.tif 000065
【図６４】
2010198865.tif 000066
【図６５】
2010198865.tif 000067
【図６６】
2010198865.tif 000068
【図６７】
2010198865.tif 000069
【図６８】
2010198865.tif 000070
【図６９】
2010198865.tif 000071
【図７０】
2010198865.tif 000072